(57)【特許請求の範囲】
【請求項１】
車両に搭載された蓄電池に対し、所定の信号端子、第２の信号端子及び電力端子を内包する充放電コネクタを介して充電又は放電を行う電力制御装置において、
前記所定の信号端子に入力された所定信号を検出する信号検出部と、
前記第２の信号端子から所定の電圧信号を出力する信号出力部と、
該信号検出部が前記所定信号を検出した場合、前記電力端子を介して他の蓄電池に対する充電又は放電を開始する充放電制御部と
を備え、
前記充放電制御部は、前記信号出力部が所定の電圧信号を出力した後に前記信号検出部が所定信号を検出した場合、前記蓄電池に対する充電又は放電を開始し、前記信号出力部が所定の電圧信号を出力する前に前記信号検出部が所定信号を検出した場合、前記他の蓄電池に対する充電又は放電を開始するようにしてあること
を特徴とする電力制御装置。
【請求項２】
充電又は放電を開始する操作を受け付ける受付部を備え、
前記充放電制御部は、前記受付部が前記操作を受け付けた場合、充電又は放電を開始するようにしてあること
を特徴とする請求項１に記載の電力制御装置。
【請求項３】
前記電力端子に外部から印加された電圧を検出する電圧検出部を備え、
前記充放電制御部は、前記電圧検出部が検出した電圧が所定の閾値範囲内にある場合、充電又は放電を開始するようにしてあること
を特徴とする請求項１又は２に記載の電力制御装置。
【請求項４】
前記充放電制御部が前記蓄電池に対して行う充放電及び前記充放電コネクタは、ＣＨＡｄｅＭＯ協議会が規格化したＣＨＡｄｅＭＯ規格又は電動車両用電力供給システム協議会が規格化した電動自動車用充放電システムガイドラインに準拠しており、
前記所定信号は、前記他の蓄電池に対する充電許可を示す信号であること
を特徴とする請求項１から３の何れか１項に記載の電力制御装置。
【請求項５】
請求項１から４の何れか１項に記載の電力制御装置と、
前記所定の信号端子に入力される前記所定信号を発生させる信号発生部及び前記他の蓄電池を備える蓄電装置と
を含むことを特徴とする電力制御システム。
【請求項６】
前記電力制御装置は、前記充放電コネクタが一端に取着された充放電ケーブルを備えることを特徴とする請求項５に記載の電力制御システム。
【請求項７】
前記蓄電装置は、
前記充放電コネクタと嵌合するインレットを備え、
該インレットを介して前記電力制御装置と接続されていること
を特徴とする請求項５又は６に記載の電力制御システム。
【請求項８】
前記電力制御装置は、前記充放電コネクタと嵌合するインレットを備え、
前記蓄電装置は、前記インレットを介して前記電力制御装置と接続されていること
を特徴とする請求項５又は６に記載の電力制御システム。
【請求項９】
前記蓄電装置は、
前記電力端子に対応すべく前記インレットに内包された端子及び他の蓄電池間の接続をオン／オフする第１スイッチと、
該第１スイッチをオンにする蓄電制御部と
を備えることを特徴とする請求項７又は８に記載の電力制御システム。
【請求項１０】
前記電力制御装置は、前記所定の信号端子に抵抗回路を介して所定電圧を印加してあり、
前記信号発生部は抵抗器を含む電気回路であり、
前記蓄電装置は、前記電気回路に発生した電圧又は前記電気回路に流れる電流を検出する電圧／電流検出部を備え、
前記蓄電制御部は、前記電圧／電流検出部が電圧又は電流を検出した場合、前記第１スイッチをオンにするようにしてあること
を特徴とする請求項９に記載の電力制御システム。
【請求項１１】
前記信号出力部は、前記第２の信号端子に所定電圧を印加するための第２スイッチを含み、
前記充放電制御部は、前記信号検出部が前記所定信号を検出した場合、前記第２スイッチをオンにするようにしてあり、
前記蓄電制御部は、前記第２の信号端子に対応すべく前記インレットに内包された端子からの電圧が電源電圧として供給されること
を特徴とする請求項９又は１０に記載の電力制御システム。
【請求項１２】
前記信号出力部は、前記第２の信号端子に所定電圧を印加するための第２スイッチを含み、
前記電力制御装置は、前記充放電コネクタに内包された第３の信号端子を接地電位に接続するための第３スイッチを備え、
前記充放電制御部は、前記信号検出部が前記所定信号を検出した場合、前記第２及び第３スイッチをオンにするようにしてあり、
前記蓄電装置は、
前記電力端子に対応すべく前記インレットに内包された端子及び他の蓄電池間に接続された常開型の第１リレー接点と、
該第１リレー接点をオンにするリレーコイルに直列接続された第２リレー接点と、
該第２リレー接点をオン又はオフにする蓄電制御部と
を備え、
前記リレーコイル及び第２リレー接点の直列回路を、前記第２及び第３の信号端子夫々に対応すべく前記インレットに内包された端子間に接続してあること
を特徴とする請求項７又は８に記載の電力制御システム。
【請求項１３】
前記第２リレー接点は常開型であり、
前記蓄電制御部は、前記第２の信号端子に対応すべく前記インレットに内包された端子からの電圧が電源電圧として供給されており、前記第２リレー接点をオンにするようにしてあること
を特徴とする請求項１２に記載の電力制御システム。
【請求項１４】
前記第２リレー接点は常閉型であり、
前記蓄電制御部は、前記第２の信号端子に対応すべく前記インレットに内包された端子からの電圧が電源電圧として供給されており、前記第２リレー接点をオフにするようにしてあること
を特徴とする請求項１２に記載の電力制御システム。
【請求項１５】
前記蓄電装置は、前記インレットを介して充放電に係る情報を送受信する第１通信部を備え、
前記電力制御装置は、前記充放電コネクタを介して前記第１通信部と通信する第２通信部を備え、
前記充放電制御部は、前記第２通信部が前記情報を送受信した場合、充電又は放電を開始するようにしてあること
を特徴とする請求項７又は８に記載の電力制御システム。
【請求項１６】
前記蓄電装置は、前記充放電コネクタに内包された第４の信号端子に対応すべく前記インレットに内包された端子に第２の信号を印加するための第４スイッチと、
該第４スイッチをオンにする蓄電制御部と
を備え、
前記蓄電制御部は、前記第４スイッチをオン又はオン／オフにして前記第２の信号を生成するようにしてあり、
前記電力制御装置は、前記第４の信号端子に印加された第２の信号を検出する第２の信号検出部を備えること
を特徴とする請求項７又は８に記載の電力制御システム。
【請求項１７】
車両に搭載された蓄電池に対し、所定の信号端子及び電力端子を有する充放電コネクタを介して充電又は放電を行う電力制御装置における前記電力端子を介して充放電されるべき他の蓄電池を備える蓄電装置において、
前記所定の信号端子に入力されるべき所定信号を発生させる信号発生部と、
前記充放電コネクタと嵌合可能なインレットと
を備え、
該インレットを介して前記電力制御装置と接続可能にしてあり、
前記所定信号は、前記電力制御装置に前記他の蓄電池に対する充電又は放電を開始させるための信号であり、
前記信号発生部は、前記インレットに前記充放電コネクタが嵌合することによって前記所定信号を発生させるようにしてあること
を特徴とする蓄電装置。
【請求項１８】
前記電力端子に対応すべく前記インレットに内包された端子及び他の蓄電池間の接続をオン／オフする第１スイッチと、
該第１スイッチをオンにする蓄電制御部と
を備えることを特徴とする請求項１７に記載の蓄電装置。
【請求項１９】
前記信号発生部は抵抗器を含む電気回路であり、
該電気回路に発生した電圧又は前記電気回路に流れる電流を検出する電圧／電流検出部を備え、
前記蓄電制御部は、前記電圧／電流検出部が電圧又は電流を検出した場合、前記第１スイッチをオンにするようにしてあること
を特徴とする請求項１８に記載の蓄電装置。
【請求項２０】
前記蓄電制御部は、前記充放電コネクタに内包された第２の信号端子に対応すべく前記インレットに内包された端子からの電圧が電源電圧として供給されること
を特徴とする請求項１８又は１９に記載の蓄電装置。
【請求項２１】
前記電力端子に対応すべく前記インレットに内包された端子及び他の蓄電池間に接続された常開型の第１リレー接点と、
該第１リレー接点をオンにするリレーコイルに直列接続された第２リレー接点と、
該第２リレー接点をオン又はオフにする蓄電制御部と
を備え、
前記リレーコイル及び第２リレー接点の直列回路を、前記充放電コネクタに内包された第２及び第３の信号端子夫々に対応すべく前記インレットに内包された端子間に接続してあること
を特徴とする請求項１７に記載の蓄電装置。
【請求項２２】
前記第２リレー接点は常開型であり、
前記蓄電制御部は、前記第２の信号端子に対応すべく前記インレットに内包された端子からの電圧が電源電圧として供給されており、前記第２リレー接点をオンにするようにしてあること
を特徴とする請求項２１に記載の蓄電装置。
【請求項２３】
前記第２リレー接点は常閉型であり、
前記蓄電制御部は、前記第２の信号端子に対応すべく前記インレットに内包された端子からの電圧が電源電圧として供給されており、前記第２リレー接点をオフにするようにしてあること
を特徴とする請求項２１に記載の蓄電装置。
【請求項２４】
前記インレットを介して充放電に係る情報を送受信する通信部を備えることを特徴とする請求項１７に記載の蓄電装置。
【請求項２５】
前記充放電コネクタに内包された第４の信号端子に対応すべく前記インレットに内包された端子に第２の信号を印加するための第４スイッチと、
該第４スイッチをオンにする蓄電制御部と
を備え、
前記蓄電制御部は、前記第４スイッチをオン又はオン／オフにして前記第２の信号を生成するようにしてあること
を特徴とする請求項１７に記載の蓄電装置。
【発明の詳細な説明】
【技術分野】
【０００１】
本発明は、車両に搭載された蓄電池に対し、所定の信号端子及び電力端子を内包する充放電コネクタを介して充電又は放電を行う電力制御装置、電力制御システム及び電力制御装置により充放電コネクタを介して充放電される蓄電装置に関する。
【背景技術】
【０００２】
近年、環境に優しい低燃費の車両としてＨＶ（Hybrid Vehicle ；ハイブリッド車）、ＰＨＶ（Plug-in Hybrid Vehicle ：プラグインハイブリッド車）、ＥＶ（Electric Vehicle ；電気自動車）等の蓄電池を搭載した車両が急速に普及している。充電インタフェースを有するＰＨＶ及びＥＶの蓄電池に対しては、車外の充電装置から充電ケーブルを介して充電が行われる。
【０００３】
充電装置には、車両に交流電力を供給して車両側で直流電力に変換させる普通充電装置と、車両に直流電力を大電力で供給する急速充電装置とがある。急速充電の規格には、日本のＣＨＡｄｅＭＯ協議会が策定したＣＨＡｄｅＭＯ規格の他に、欧米のＣｏｍｂｏ（Combined Charging System ）規格及び中国のＧＢ規格があり、これらは何れもＩＥＣ（国際電気標準会議）で承認されている。
【０００４】
急速充電装置の中でも双方向の電力変換部を有するものは、蓄電池からの直流電力を交流電力に変換して商用電源の電力負荷に送給できるように構成されており、日本ではいわゆるＶ２Ｈ（Vehicle to Home ）のための指針として「電動自動車用充放電システムガイドライン」が策定されている。
【０００５】
ところで、ＨＥＭＳ（Home Energy Management System ）を実現するシステムでは、車両に搭載された蓄電池及び自家用（住宅用）蓄電池夫々に対して別々に充放電が行われる構成が一般的である。例えば、特許文献１に記載のエネルギマネジメントシステムは、宅内の分電盤に発電電力の蓄電用の蓄電池及び充電スタンドが交流回路で接続されており、充電スタンドを介して車両用蓄電池に対する充放電が可能である。
また、特許文献２に記載の電力マネジメントシステムは、パワーコンディショナに電気自動車の蓄電池及び住宅用蓄電池が直流回路で接続されており、各蓄電池に対する充放電が可能である。
【先行技術文献】
【特許文献】
【０００６】
【特許文献１】特開２０１２−１９１８２５号公報
【特許文献２】特開２０１４−６８４３３号公報
【発明の概要】
【発明が解決しようとする課題】
【０００７】
しかしながら、特許文献１に記載されたエネルギマネジメントシステムでは、蓄電装置及び充電スタンドの両方に充放電装置が必要となる上に、蓄電装置及び充電スタンドから宅内の分電盤まで個別に電力線を配線する必要がある。また、特許文献２に記載された電力マネジメントシステムでは、パワーコンディショナに直流回路で接続された２つの蓄電池に充放電するための回路構成が複雑になるという問題がある。
【０００８】
本発明は斯かる事情に鑑みてなされたものであり、その目的とするところは、車両用の充電器と同一の接続インタフェースを用いて、車両以外の蓄電池に対する充放電を行うことが可能な電力制御装置、電力制御システム及び蓄電装置を提供することにある。
【課題を解決するための手段】
【０００９】
本発明に係る電力制御装置は、車両に搭載された蓄電池に対し、所定の信号端子、第２の信号端子及び電力端子を内包する充放電コネクタを介して充電又は放電を行う電力制御装置において、前記所定の信号端子に入力された所定信号を検出する信号検出部と、前記第２の信号端子から所定の電圧信号を出力する信号出力部と、該信号検出部が前記所定信号を検出した場合、前記電力端子を介して他の蓄電池に対する充電又は放電を開始する充放電制御部とを備え、前記充放電制御部は、前記信号出力部が所定の電圧信号を出力した後に前記信号検出部が所定信号を検出した場合、前記蓄電池に対する充電又は放電を開始し、前記信号出力部が所定の電圧信号を出力する前に前記信号検出部が所定信号を検出した場合、前記他の蓄電池に対する充電又は放電を開始するようにしてあることを特徴とする。
【００１０】
本発明に係る電力制御装置は、充電又は放電を開始する操作を受け付ける受付部を備え、前記充放電制御部は、前記受付部が前記操作を受け付けた場合、充電又は放電を開始するようにしてあることを特徴とする。
【００１１】
本発明に係る電力制御装置は、前記電力端子に外部から印加された電圧を検出する電圧検出部を備え、前記充放電制御部は、前記電圧検出部が検出した電圧が所定の閾値範囲内にある場合、充電又は放電を開始するようにしてあることを特徴とする。
【００１２】
本発明に係る電力制御装置は、前記充放電制御部が前記蓄電池に対して行う充放電及び前記充放電コネクタは、ＣＨＡｄｅＭＯ協議会が規格化したＣＨＡｄｅＭＯ規格又は電動車両用電力供給システム協議会が規格化した電動自動車用充放電システムガイドラインに準拠しており、前記所定信号は、前記他の蓄電池に対する充電許可を示す信号であることを特徴とする。
【００１３】
本発明に係る電力制御システムは、上述の電力制御装置と、前記所定の信号端子に入力される前記所定信号を発生させる信号発生部及び前記他の蓄電池を備える蓄電装置とを含むことを特徴とする。
【００１４】
本発明に係る電力制御システムは、前記電力制御装置は、前記充放電コネクタが一端に取着された充放電ケーブルを備えることを特徴とする。
【００１５】
本発明に係る電力制御システムは、前記蓄電装置は、前記充放電コネクタと嵌合するインレットを備え、該インレットを介して前記電力制御装置と接続されていることを特徴とする。
【００１６】
本発明に係る電力制御システムは、前記電力制御装置は、前記充放電コネクタと嵌合するインレットを備え、前記蓄電装置は、前記インレットを介して前記電力制御装置と接続されていることを特徴とする。
【００１７】
本発明に係る電力制御システムは、前記蓄電装置は、前記電力端子に対応すべく前記インレットに内包された端子及び他の蓄電池間の接続をオン／オフする第１スイッチと、該第１スイッチをオンにする蓄電制御部とを備えることを特徴とする。
【００１８】
本発明に係る電力制御システムは、前記電力制御装置は、前記所定の信号端子に抵抗回路を介して所定電圧を印加してあり、前記信号発生部は抵抗器を含む電気回路であり、前記蓄電装置は、前記電気回路に発生した電圧又は前記電気回路に流れる電流を検出する電圧／電流検出部を備え、前記蓄電制御部は、前記電圧／電流検出部が電圧又は電流を検出した場合、前記第１スイッチをオンにするようにしてあることを特徴とする。
【００１９】
本発明に係る電力制御システムは、前記信号出力部は、前記第２の信号端子に所定電圧を印加するための第２スイッチを含み、前記充放電制御部は、前記信号検出部が前記所定信号を検出した場合、前記第２スイッチをオンにするようにしてあり、前記蓄電制御部は、前記第２の信号端子に対応すべく前記インレットに内包された端子からの電圧が電源電圧として供給されることを特徴とする。
【００２０】
本発明に係る蓄電装置は、前記信号出力部は、前記第２の信号端子に所定電圧を印加するための第２スイッチを含み、前記電力制御装置は、前記充放電コネクタに内包された第３の信号端子を接地電位に接続するための第３スイッチを備え、前記充放電制御部は、前記信号検出部が前記所定信号を検出した場合、前記第２及び第３スイッチをオンにするようにしてあり、前記蓄電装置は、前記電力端子に対応すべく前記インレットに内包された端子及び他の蓄電池間に接続された常開型の第１リレー接点と、該第１リレー接点をオンにするリレーコイルに直列接続された第２リレー接点と、該第２リレー接点をオン又はオフにする蓄電制御部とを備え、前記リレーコイル及び第２リレー接点の直列回路を、前記第２及び第３の信号端子夫々に対応すべく前記インレットに内包された端子間に接続してあることを特徴とする。
【００２１】
本発明に係る電力制御システムは、前記第２リレー接点は常開型であり、前記蓄電制御部は、前記第２の信号端子に対応すべく前記インレットに内包された端子からの電圧が電源電圧として供給されており、前記第２リレー接点をオンにするようにしてあることを特徴とする。
【００２２】
本発明に係る電力制御システムは、前記第２リレー接点は常閉型であり、前記蓄電制御部は、前記第２の信号端子に対応すべく前記インレットに内包された端子からの電圧が電源電圧として供給されており、前記第２リレー接点をオフにするようにしてあることを特徴とする。
【００２３】
本発明に係る電力制御システムは、前記蓄電装置は、前記インレットを介して充放電に係る情報を送受信する第１通信部を備え、前記電力制御装置は、前記充放電コネクタを介して前記第１通信部と通信する第２通信部を備え、前記充放電制御部は、前記第２通信部が前記情報を送受信した場合、充電又は放電を開始するようにしてあることを特徴とする。
【００２４】
本発明に係る電力制御システムは、前記蓄電装置は、前記充放電コネクタに内包された第４の信号端子に対応すべく前記インレットに内包された端子に第２の信号を印加するための第４スイッチと、該第４スイッチをオンにする蓄電制御部とを備え、前記蓄電制御部は、前記第４スイッチをオン又はオン／オフにして前記第２の信号を生成するようにしてあり、前記電力制御装置は、前記第４の信号端子に印加された第２の信号を検出する第２の信号検出部を備えることを特徴とする。
【００２５】
本発明に係る蓄電装置は、車両に搭載された蓄電池に対し、所定の信号端子及び電力端子を有する充放電コネクタを介して充電又は放電を行う電力制御装置における前記電力端子を介して充放電されるべき他の蓄電池を備える蓄電装置において、前記所定の信号端子に入力されるべき所定信号を発生させる信号発生部と、前記充放電コネクタと嵌合可能なインレットとを備え、該インレットを介して前記電力制御装置と接続可能にしてあり、前記所定信号は、前記電力制御装置に前記他の蓄電池に対する充電又は放電を開始させるための信号であり、前記信号発生部は、前記インレットに前記充放電コネクタが嵌合することによって前記所定信号を発生させるようにしてあることを特徴とする。
【００２７】
本発明に係る蓄電装置は、前記電力端子に対応すべく前記インレットに内包された端子及び他の蓄電池間の接続をオン／オフする第１スイッチと、該第１スイッチをオンにする蓄電制御部とを備えることを特徴とする。
【００２８】
本発明に係る蓄電装置は、前記信号発生部は抵抗器を含む電気回路であり、該電気回路に発生した電圧又は前記電気回路に流れる電流を検出する電圧／電流検出部を備え、前記蓄電制御部は、前記電圧／電流検出部が電圧又は電流を検出した場合、前記第１スイッチをオンにするようにしてあることを特徴とする。
【００２９】
本発明に係る蓄電装置は、前記蓄電制御部は、前記充放電コネクタに内包された第２の信号端子に対応すべく前記インレットに内包された端子からの電圧が電源電圧として供給されることを特徴とする。
【００３０】
本発明に係る蓄電装置は、前記電力端子に対応すべく前記インレットに内包された端子及び他の蓄電池間に接続された常開型の第１リレー接点と、該第１リレー接点をオンにするリレーコイルに直列接続された第２リレー接点と、該第２リレー接点をオン又はオフにする蓄電制御部とを備え、前記リレーコイル及び第２リレー接点の直列回路を、前記充放電コネクタに内包された第２及び第３の信号端子夫々に対応すべく前記インレットに内包された端子間に接続してあることを特徴とする。
【００３１】
本発明に係る蓄電装置は、前記第２リレー接点は常開型であり、前記蓄電制御部は、前記第２の信号端子に対応すべく前記インレットに内包された端子からの電圧が電源電圧として供給されており、前記第２リレー接点をオンにするようにしてあることを特徴とする。
【００３２】
本発明に係る蓄電装置は、前記第２リレー接点は常閉型であり、前記蓄電制御部は、前記第２の信号端子に対応すべく前記インレットに内包された端子からの電圧が電源電圧として供給されており、前記第２リレー接点をオフにするようにしてあることを特徴とする。
【００３３】
本発明に係る蓄電装置は、前記インレットを介して充放電に係る情報を送受信する通信部を備えることを特徴とする。
【００３４】
本発明に係る蓄電装置は、前記充放電コネクタに内包された第４の信号端子に対応すべく前記インレットに内包された端子に第２の信号を印加するための第４スイッチと、該第４スイッチをオンにする蓄電制御部とを備え、前記蓄電制御部は、前記第４スイッチをオン又はオン／オフにして前記第２の信号を生成するようにしてあることを特徴とする。
【００３５】
本発明にあっては、蓄電装置の信号発生部が、電力制御装置が備える充放電コネクタの所定の信号端子に入力されるべき所定信号を発生させる。電力制御装置の信号検出部が、所定の信号端子に入力された所定信号を検出した場合、充放電制御部が充放電コネクタの電力端子を介して他の蓄電池に対する充電又は放電を開始する。
つまり、電力制御装置の充放電コネクタに入力された所定信号が検出されることによって所定信号の発生源との接続が確認された場合に、充放電コネクタを介して他の蓄電池に対する充放電が開始される。
【００３６】
本発明にあっては、充放電制御部の受付部が充電又は放電を開始する操作を受け付けた場合、充放電制御部が他の蓄電池に対する充電又は放電を開始する。
これにより、所定信号の発生源との接続が確認され、且つ充放電の開始操作が行われた場合（順不同）に、他の蓄電池に対する充放電が開始される。
【００３７】
本発明にあっては、充放電コネクタの電力端子に外部から印加された電圧が所定の閾値範囲内にある場合、充放電制御部が、外部にある他の蓄電池に対する充電又は放電を開始する。
これにより、所定信号の発生源との接続が確認され、且つ他の蓄電池の電圧が充放電に適する電圧であることが確認された場合に、他の蓄電池に対する充放電が開始される。
【００３８】
本発明にあっては、充放電制御部が、車両の蓄電池に対してＣＨＡｄｅＭＯ規格又は電動自動車用充放電システムガイドラインに準拠する充放電を行う機能を有しており、充放電コネクタが夫々の規格又はガイドラインに準拠している。その上で、他の蓄電池に対する充電許可を示す信号を所定信号とする。
これにより、ＣＨＡｄｅＭＯ規格又は電動自動車用充放電システムガイドラインに準拠する充放電機能を有する電力制御装置にて充電許可を示す信号が検出された場合に、他の蓄電池に対する充放電が開始される。
【００３９】
本発明にあっては、充放電コネクタが充放電ケーブルの一端に取着されているため、充放電ケーブルが届く範囲内で、充放電コネクタと嵌号させるインレットが任意に選択される。
【００４０】
本発明にあっては、充放電コネクタが、蓄電装置に配されたインレットと嵌合可能にしてあり、電力制御装置が蓄電装置のインレットを介して蓄電装置と接続可能である。
これにより、充放電コネクタが車両のインレットの代わりに蓄電装置のインレットに嵌合した場合に、他の蓄電池に対する充放電が可能となる。
【００４１】
本発明にあっては、充放電コネクタが、電力制御装置に配されたインレットと嵌合するようにしてあり、電力制御装置が自身のインレットを介して蓄電装置と接続される。
これにより、充放電コネクタが車両のインレットの代わりに電力制御装置のインレットに嵌合した場合、他の蓄電池に対する充放電が可能となる。
【００４２】
本発明にあっては、充放電コネクタがインレットに嵌合したときに電力端子に接続されるインレット内の端子と他の蓄電池との間に第１スイッチが介装されており、蓄電制御部が第１スイッチをオンにする。
これにより、蓄電制御部が第１スイッチをオンにしない限り、他の蓄電池の電圧が不用意にインレット内の端子に印加されることが防止される。
【００４３】
本発明にあっては、抵抗器を含む電気回路である信号発生部に対し、充放電コネクタの所定の信号端子を介して電力制御装置側から所定電圧が印加されるため、電気回路に電流が流れて電圧が発生する。この電圧又は電流を電圧／電流検出部が検出した場合、蓄電制御部が第１スイッチをオンにする。
これにより、電力制御装置との接続が蓄電装置側で確認されたときに、インレット内の端子に他の蓄電池が接続されるため、他の蓄電池に接続される活電部の露出が防止される。
【００４４】
本発明にあっては、所定の信号端子に入力された所定信号を信号検出部が検出した場合、充放電制御部が第２スイッチをオンにすることにより、充放電コネクタ内の第２の信号端子に所定電圧が印加され、この所定電圧がインレット内の端子を介して電源電圧として蓄電制御部に供給される。
これにより、蓄電装置側に蓄電制御部のための電源が不要となる。
【００４５】
本発明にあっては、充放電コネクタがインレットに嵌合したときに電力端子に接続されるインレット内の端子と他の蓄電池との間に常開型の第１リレー接点が介装されており、第１リレー接点をオンにするリレーコイル及び第２リレー接点の直列回路を、充放電コネクタがインレットに嵌合したときに充放電コネクタ内の第２及び第３の信号端子夫々に接続されるインレット内の端子に接続してある。所定の信号端子に入力された所定信号を信号検出部が検出した場合、充放電制御部が第２及び第３スイッチをオンにすることにより、第２の信号端子に所定電圧が印加され、第３の信号端子が接地電位に接続される。この場合、蓄電制御部が第２リレー接点をオンにしている間は、インレットを介して上記リレーコイルに所定電圧が印加されるため、第１リレー接点がオンになって他の蓄電池が電力端子に接続される。
これに対し、充放電制御部が第２又は第３スイッチをオフにした場合は、インレットを介して上記リレーコイルに所定電圧が印加されなくなるため、第１リレー接点がオフになって他の蓄電池が電力端子から切り離される。
【００４６】
本発明にあっては、蓄電制御部は、第２の信号端子に接続されるインレット内の端子から電源電圧が供給された場合、常開型の第２リレー接点をオンにする。
これにより、蓄電装置側で例えば充放電を受け入れる準備が整ったときに第１リレー接点がオンになり、他の蓄電池がインレットに内包された端子に接続される。また、蓄電装置側に蓄電制御部のための電源が不要となる。
【００４７】
本発明にあっては、蓄電制御部は、第２の信号端子に接続されるインレット内の端子から電源電圧が供給された場合、常閉型の第２リレー接点をオフにする。
これにより、例えば何らかの異常があったときに第１リレー接点がオフになり、他の蓄電池がインレットに内包された端子から切り離される。また、蓄電装置側に蓄電制御部のための電源が不要となる。
【００４８】
本発明にあっては、電力制御装置の第２通信部が充放電コネクタ及びインレットを介して蓄電装置の第１通信部と通信して充放電に係る情報を送受信した場合、電力制御装置が他の蓄電池に対する充電又は放電を開始する。
これにより、例えば充放電に要する情報が授受された場合に、他の蓄電池に対する充放電が可能となる。
【００４９】
本発明にあっては、蓄電制御部が第４スイッチをオン又はオン／オフにして特定の信号（第２の信号）を生成することにより、充放電コネクタがインレットに嵌合したときに第４の信号端子に接続されるインレット内の端子に第２の信号が印加され、この第２の信号を第２の信号検出部が検出する。
これにより、例えば充放電開始前に第２の信号により、蓄電池に係る情報が電力制御装置に通知される。
【発明の効果】
【００５０】
本発明によれば、電力制御装置の充放電コネクタに入力された所定信号が検出されることによって蓄電装置間との接続が確認されたときに、充放電コネクタを介して他の蓄電池に対する充放電が開始される。
従って、車両用の充電器と同一の接続インタフェースを用いて、車両以外の蓄電池に対する充放電を行うことが可能となる。
【図面の簡単な説明】
【００５１】
【図１】本発明の実施の形態１に係る電力制御システムの要部構成を示すブロック図である。
【図２】本発明の実施の形態１に係る電力制御システムで充放電を開始するＣＰＵの処理手順を示すフローチャートである。
【図３】本発明の実施の形態１の変形例に係る電力制御システムの要部構成を示すブロック図である。
【図４】本発明の実施の形態２に係る電力制御システムの要部構成を示すブロック図である。
【図５】本発明の実施の形態２に係る電力制御システムで充放電を開始するＣＰＵの処理手順と、充放電を受け入れるＣＰＵの処理手順とを示すフローチャートである。
【図６】本発明の実施の形態３に係る電力制御システムの要部構成を示すブロック図である。
【図７】本発明の実施の形態３に係る電力制御システムで充放電を開始するＣＰＵの処理手順と、充放電を受け入れるＣＰＵの処理手順とを示すフローチャートである。
【図８】本発明の実施の形態４に係る電力制御システムの要部構成を示すブロック図である。
【図９】本発明の実施の形態４に係る電力制御システムで充放電を開始するＣＰＵの処理手順と、充放電を受け入れるＣＰＵの処理手順とを示すフローチャートである。
【図１０】本発明の実施の形態５に係る電力制御システムの要部構成を示すブロック図である。
【図１１】本発明の実施の形態５に係る電力制御システムで充放電を開始するＣＰＵの処理手順と、充放電を受け入れるＣＰＵの処理手順とを示すフローチャートである。
【図１２】本発明の実施の形態６に係る電力制御システムの要部構成を示すブロック図である。
【図１３】本発明の実施の形態６に係る電力制御システムで充放電を開始するＣＰＵの処理手順と、充放電を受け入れるＣＰＵの処理手順とを示すフローチャートである。
【図１４】本発明の実施の形態６に係る電力制御システムで充放電を開始するＣＰＵの処理手順と、充放電を受け入れるＣＰＵの処理手順とを示すフローチャートである。
【図１５】本発明の実施の形態７に係る電力制御システムの要部構成を示すブロック図である。
【図１６】本発明の実施の形態７に係る電力制御システムで充放電を開始するＣＰＵの処理手順と、充放電を受け入れるＣＰＵの処理手順とを示すフローチャートである。
【図１７】本発明の実施の形態７に係る電力制御システムで充放電を開始するＣＰＵの処理手順と、充放電を受け入れるＣＰＵの処理手順とを示すフローチャートである。
【図１８】本発明の実施の形態８に係る電力制御システムの要部構成を示すブロック図である。
【図１９】本発明の実施の形態８に係る電力制御システムで充放電を開始するＣＰＵの処理手順と、充放電を受け入れるＣＰＵの処理手順とを示すフローチャートである。
【発明を実施するための形態】
【００５２】
以下、本発明をその実施の形態を示す図面に基づいて詳述する。
（実施の形態１）
図１は、本発明の実施の形態１に係る電力制御システムの要部構成を示すブロック図である。図中１ａはＣＨＡｄｅＭＯ協議会によるＣＨＡｄｅＭＯ規格に準拠する充電、及び電動車両用電力供給システム協議会による電動自動車用充放電システムガイドラインに準拠する充放電を行う電力制御装置である。電力制御装置１ａは、実線の枠で示される本体から延出する充放電ケーブル２の一端に取着された充放電コネクタ２０が、蓄電装置４ａに配されたインレット３０に着脱自在に嵌合する。
【００５３】
電力制御装置１ａは、リレー１０のリレー接点を介して交流電源の分電盤１００に交流側の入出力端が接続されたＡＣ／ＤＣ変換部１１と、ＡＣ／ＤＣ変換部１１による電圧変換を制御する充放電制御部１２とを備える。充放電制御部１２には、リレー１０のリレーコイルと、ＡＣ／ＤＣ変換部１１の直流側の入出力端に印加された電圧を検出する電圧検出部１３と、ユーザによる操作を受け付けるためのボタン、タッチパネル及びＬＣＤを含む操作表示部（受付部に相当）１４と、充放電コネクタ２０を介してＣＡＮ通信部４６（後述する図１２参照）と通信するＣＡＮ通信部（第２通信部に相当）１６とが接続されている。本実施の形態１では、ＣＡＮ通信部１６を用いない。
【００５４】
電力制御装置１ａは、また、リレー接点の一端が１２Ｖの電源に接続されたリレー（第２スイッチに相当）ｄ１と、リレー接点の一端がＦＧ（Frame Ground：接地電位に相当）に接続されたリレー（第３スイッチに相当）ｄ２と、一端がＦＧに接続された抵抗器Ｒ１と、フォトカプラ（信号検出部に相当）ｊ１とを備える。リレーｄ１及びｄ２夫々のリレーコイルは、充放電制御部１２に接続されている。本実施の形態１では、リレーｄ１，ｄ２及び抵抗器Ｒ１を用いない。
なお、電力制御装置１ａにおける電源の電圧は１２Ｖに限定されない（後述する変形例及び実施の形態２から８夫々の図３、４、６、８、１０、１２、１５及び１８における電力制御装置１ｂ及び１ａについても同様）。
【００５５】
フォトカプラｊ１に含まれるＬＥＤのアノード及びカソード夫々は、１２Ｖ（所定電圧に相当）の電源及び抵抗器（抵抗回路に相当）Ｒ２の一端に接続されている。抵抗器Ｒ２は、他の抵抗器と組み合わされていてもよい。フォトカプラｊ１に含まれるトランジスタのエミッタ及びコレクタ夫々は、ＦＧ及び充放電制御部１２に接続されている。この接続により、フォトカプラｊ１のオン信号が電力制御装置１ａに取り込まれる。
【００５６】
充放電コネクタ２０は、ＡＣ／ＤＣ変換部１１の直流側の入出力端に各別に接続された電力端子２１，２２と、リレーｄ１及びｄ２夫々のリレー接点の他端に接続された信号端子（夫々第２の信号端子及び第３の信号端子に相当）２３，２４と、抵抗器Ｒ１及びＲ２夫々の他端に接続された信号端子（夫々第４の信号端子及び所定の信号端子に相当）２５，２６と、ＦＧに接続されたＦＧ端子２７と、ＣＡＮ通信部１６に接続された通信端子２８とを内包している。通信端子２８は、実際には２つの端子からなるが、ここでは説明のために１つの端子として説明する（以下同様）。
【００５７】
インレット３０は、電力端子２１，２２夫々に対応する電力端子３１，３２と、信号端子２６に対応する信号端子３６と、ＦＧ端子２７に対応するＦＧ端子３７とを内包している。充放電コネクタ２０及びインレット３０夫々が内包する各端子は、充放電コネクタ２０がインレット３０に嵌合したときに、対応する端子同士が接続されるようになっている。
【００５８】
電力端子３１及び３２は、蓄電装置４ａが備える蓄電池（他の蓄電池に相当）４０の両端に各別に接続されている。信号端子３６及びＦＧ端子３７間には、抵抗器（信号発生部に相当）Ｒ４が接続されている。ＦＧ端子３７は、蓄電装置４ａのＦＧに接続されている。抵抗器Ｒ４は、他の電子部品等を含む電気回路であってもよい。本実施の形態１にあっては、抵抗器Ｒ４は導線であってもよい。電力端子３１及び３２と接続された蓄電池４０が、実線の枠で示される蓄電装置４ａの本体の外側に配置されていてもよい。
【００５９】
充放電制御部１２はＣＰＵ１２１を有し、ＣＰＵ１２１の制御によってリレー１０，ｄ１，ｄ２夫々のリレーコイルを励磁する。これにより、リレー１０，ｄ１，ｄ２夫々のリレー接点がオンになる。リレー１０のリレー接点がオンになった場合、ＡＣ／ＤＣ変換部１１の交流側の入出力端が分電盤に接続される。また、リレーｄ１のリレー接点がオンになった場合、信号端子２３に１２Ｖの電源電圧が印加される。リレーｄ２のリレー接点がオンになった場合、信号端子２４がＦＧに接続される。充放電制御部１２は、蓄電池４０に対する充放電を行う間だけ、リレー１０のリレー接点をオンにする。
【００６０】
上述の構成において、充放電コネクタ２０が、例えば電力制御装置１ａの本体に配されたホルダ部（不図示）から取り出されて蓄電装置４ａのインレット３０に嵌合した場合、電力端子２１，２２夫々が電力端子３１，３２に接続され、信号端子２６及びＦＧ端子２７夫々が信号端子３６及びＦＧ端子３７に接続される。つまり、電力制御装置１ａ及び蓄電装置４ａが、充放電コネクタ２０及びインレット３０を介して接続される。
【００６１】
電力制御装置１ａ及び蓄電装置４ａが接続された場合、フォトカプラｊ１に含まれるＬＥＤ及び抵抗器Ｒ２，Ｒ４を介して１２Ｖの電源からＦＧに電流が流れてフォトカプラｊ１がオンになる。換言すれば、１２Ｖの電源からの電流により抵抗器（電気回路）Ｒ４に電圧信号（所定信号及び充電許可を示す信号に相当）が発生し、発生した信号が信号端子（所定の信号端子）２６に入力され、入力された信号がフォトカプラｊ１により検出される。検出結果は充放電制御部１２のＣＰＵ１２１に取り込まれる。フォトカプラｊ１により、信号端子２６に印加された電圧信号を検出した充放電制御部１２は、蓄電池４０に対する充放電を開始する。
【００６２】
上述のフォトカプラｊ１のオン信号は、電力制御装置１ａの接続先の装置が、例えばＣＨＡｄｅＭＯ規格に準拠するＰＨＶ又はＥＶであるか否かの判定に使用される。即ち、ＣＨＡｄｅＭＯ規格では、フォトカプラｊ１のオン信号に相当する充電許可信号がオンになるのは、リレーｄ１がオンになり、且つＣＡＮ通信にて所定の通信手順が実行された後に限られる。これに対し、本実施の形態１に係る蓄電装置４ａでは、充放電コネクタ２０がインレット３０に嵌合した時点でフォトカプラｊ１のオン信号が検出される。
【００６３】
以下では、上述した充放電制御部１２の動作を、それを示すフローチャートを用いて説明する。以下に示す処理は、不図示のＲＯＭに予め格納されている制御プログラムに従って、充放電制御部１２のＣＰＵ１２１により実行される。
図２は、本発明の実施の形態１に係る電力制御システムで充放電を開始するＣＰＵ１２１の処理手順を示すフローチャートである。図２の処理は、充放電制御部１２による充放電の準備が整ったときに起動される。なお図２では、不図示の充放電コネクタのロック及びロック解除を行うステップを記載していないが、これらのステップを実行するようにしてもよい（後述する図１３及び１４参照：後述する実施の形態２、３、４、５及び８夫々における図５、７、９、１１及び１９についても同様）。
【００６４】
図２の処理が起動された場合、ＣＰＵ１２１は、フォトカプラｊ１により充電許可を示す信号（以下、充電許可信号という）を検出したか否かを判定し（Ｓ１１）、検出しない場合（Ｓ１１：ＮＯ）、検出するまで待機する。充電許可信号を検出しない場合に、ＣＨＡｄｅＭＯ規格又は電動自動車用充放電システムガイドラインに準拠する充放電を実行するようにしてもよい（後述する実施の形態２、３、４、５及び８夫々における図５、７、９、１１及び１９についても同様）。
充電許可信号を検出した場合（Ｓ１１：ＹＥＳ）、ＣＰＵ１２１は、操作表示部１４によりスタートボタンが押下されたか否かを判定し（Ｓ１２）、押下されていない場合（Ｓ１２：ＮＯ）、押下されるまで待機する。
【００６５】
上述のステップＳ１１及びＳ１２は、実行順序を入れ替えてもよい。例えば、先にスタートボタンの押下を判定した後に、充電許可信号の検出を判定する場合、充電許可信号が検出されないときは、車両に対する通常の充放電を行うものとして、ＣＨＡｄｅＭＯ規格又は電動自動車用充放電システムガイドラインに準拠する充放電を開始するようにしてもよい。また、ステップＳ１２におけるスタートボタンの押下の判定を行わないようにしてもよい（後述する実施の形態２、３、４、５及び８夫々における図５、７、９、１１及び１９についても同様）。この場合、通常はスタートボタンの押下の前に行われる運転モードの設定が、予め行われているものとする。
【００６６】
スタートボタンが押下された場合（Ｓ１２：ＹＥＳ）、ＣＰＵ１２１は、電圧検出部１３により電力端子２１，２２に印加された電圧を検出し（Ｓ１４）、検出した電圧が所定の閾値範囲内にあるか否かを判定する（Ｓ１５）。ここでの所定の閾値範囲は、電力端子２１，２２に接続された蓄電池４０が、例えば過充電及び過放電にならないことが担保される電圧の範囲である。
【００６７】
検出した電圧が所定の閾値範囲内にない場合（Ｓ１５：ＮＯ）、ＣＰＵ１２１は、再度電力端子２１，２２の電圧を検出して判定するために、ステップＳ１４に処理を移す。これは、この時点で電力端子２１，２２に印加された電圧が十分に上昇していない場合を想定したものである。このような場合を回避するため、ステップＳ１２及びＳ１４の間に適当な時間（例えば１００ｍｓ）だけ待機する処理を実行するようにしてもよい。
【００６８】
上記の待機処理を実行したのちにステップＳ１４，Ｓ１５の処理を実行する場合は、検出した電圧が所定の閾値範囲内にない（Ｓ１５：ＮＯ）と判定されたときに、充放電が受け付けられない旨のメッセージを操作表示部１４に表示して図２の処理を終了するようにしてもよい。
【００６９】
図２に戻って、検出した電圧が所定の閾値範囲内にある場合（Ｓ１５：ＹＥＳ）、ＣＰＵ１２１は、リレー１０のリレー接点をオンにすると共に、ＡＣ／ＤＣ変換部１１による蓄電池４０に対する充放電を開始する（Ｓ１６）。この場合、蓄電池４０を充電するのか又は放電させるのかは、上述のスタートボタンが押下される前に、例えば操作表示部１４から設定されているものとする。
【００７０】
蓄電池４０が放電した直流電圧が交流電圧に変換される場合は、変換された交流電圧が、分電盤に収容された不図示の電力負荷に供給される。蓄電池４０の充放電中は、電圧検出部１３により、蓄電池４０の充放電電圧が時系列的に検出されるが、図示しない電流検出部により、充放電電流を時系列的に検出することによって蓄電池４０の充放電容量（即ち充放電された容量）を算出するようにしてもよい。
【００７１】
その後、ＣＰＵ１２１は、蓄電池４０について、充放電停止の条件が充足されるか否かを判定し（Ｓ１７）、充足されない場合（Ｓ１７：ＮＯ）、充電停止の条件が充足されるまで待機する。ここでの充放電停止の条件とは、例えば、蓄電池４０が満充電の状態若しくは放電終止の状態となったこと、電力制御システムについて何らかの異常が発生したこと、又は操作表示部１４における不図示のストップボタンが押下されたことが挙げられる（後述する実施の形態２から８夫々における図５、７、９、１１、１４、１７及び１９についても同様）。充放電停止の条件が充足された場合（Ｓ１７：ＹＥＳ）、ＣＰＵ１２１は、リレー１０のリレー接点をオフにすると共に、ＡＣ／ＤＣ変換部１１による蓄電池４０に対する充放電を停止して（Ｓ１８）図２の処理を終了する。
【００７２】
以上のように本実施の形態１によれば、蓄電装置４ａの抵抗器Ｒ４が、電力制御装置１ａが備える充放電コネクタ２０の信号端子（所定の信号端子）２６に入力されるべき電圧信号（所定信号）を発生させる。電力制御装置１ａのフォトカプラ（信号検出部）ｊ１が、信号端子２６に入力された電圧信号を検出した場合、充放電制御部１２のＣＰＵ１２１が充放電コネクタ２０の電力端子２１，２２を介して蓄電池（他の蓄電池）４０に対する充電又は放電を開始する。
つまり、電力制御装置１ａの充放電コネクタ２０に入力された所定信号が検出されることによって所定信号の発生源との接続が確認された場合に、充放電コネクタ２０を介して蓄電池４０に対する充放電が開始される。
従って、車両用の充電器と同一の接続インタフェースを用いて、車両以外の蓄電池に対する充放電を行うことが可能となる。
【００７３】
更に、実施の形態１によれば、電力制御装置１ａの操作表示部（受付部）１４が充電又は放電を開始する操作を受け付けた場合、充放電制御部１２のＣＰＵ１２１が蓄電池（他の蓄電池）４０に対する充電又は放電を開始する。
従って、所定信号の発生源との接続が確認され、且つ充放電の開始操作が行われた場合（順不同）に、他の蓄電池（蓄電池４０）に対する充放電を開始することが可能となる。
【００７４】
更にまた、実施の形態１によれば、充放電コネクタ２０の電力端子２１，２２に外部から印加された電圧が所定の閾値範囲内にある場合、充放電制御部１２のＣＰＵ１２１が、蓄電装置４ａにある蓄電池４０に対する充電又は放電を開始する。
従って、所定信号の発生源との接続が確認され、且つ他の蓄電池（蓄電池４０）の電圧が充放電に適する電圧であることが確認された場合に、他の蓄電池に対する充放電を開始することが可能となる。
【００７５】
また、実施の形態１によれば、充放電制御部１２が、車両の蓄電池に対してＣＨＡｄｅＭＯ規格又は電動自動車用充放電システムガイドラインに準拠する充放電を行う機能を有しており、充放電コネクタ２０が夫々の規格又はガイドラインに準拠している。その上で、蓄電池（他の蓄電池）４０に対する充電許可を示す信号（充電許可信号）を所定信号とする。
従って、ＣＨＡｄｅＭＯ規格又は電動自動車用充放電システムガイドラインに準拠する充放電機能を有する電力制御装置１ａにて充電許可を示す信号が検出された場合に、他の蓄電池（蓄電池４０）に対する充放電を開始することが可能となる。
【００７６】
更にまた、実施の形態１によれば、充放電コネクタ２０が、蓄電装置４ａに配されたインレット３０と嵌合可能にしてあり、電力制御装置１ａが蓄電装置４ａのインレット３０を介して蓄電装置４ａと接続可能である。
従って、充放電コネクタ２０が車両のインレットの代わりに蓄電装置４ａのインレット３０に嵌合した場合に、他の蓄電池（蓄電池４０）に対する充放電が可能となる。
【００７７】
（変形例）
実施の形態１が、蓄電装置４ａが充放電コネクタ２０に嵌合するインレット３０を備える形態であるのに対し、実施の形態１の変形例は、電力制御装置がインレット３０を備えており、蓄電装置が電力制御装置に配されたインレット３０と直接的に接続されている形態である。
【００７８】
図３は、本発明の実施の形態１の変形例に係る電力制御システムの要部構成を示すブロック図である。図中１ｂはＣＨＡｄｅＭＯ協議会によるＣＨＡｄｅＭＯ規格に準拠する充電、及び電動車両用電力供給システム協議会による電動自動車用充放電システムガイドラインに準拠する充放電を行う電力制御装置である。電力制御装置１ｂは、本体から延出する充放電ケーブル２の一端に取着された充放電コネクタ２０が、本体に設けられた充放電コネクタ２０のホルダ部（不図示）に配されたインレット３０に着脱自在に嵌合する。
【００７９】
インレット３０が内包する電力端子３１及び３２は、蓄電装置４ｂが備える蓄電池（他の蓄電池に相当）４０の両端に各別に接続されている。信号端子３６及びＦＧ端子３７間には、蓄電装置４ｂが備える抵抗器（信号発生部に相当）Ｒ４が接続されている。ＦＧ端子３７は、蓄電装置４ｂのＦＧに接続されている。
その他、実施の形態１に対応する箇所には同様の符号を付してその説明を省略する。
【００８０】
上述の構成において、充放電コネクタ２０が、例えば電力制御装置１ｂの本体のホルダ部に収納されてインレット３０に嵌合した場合、電力端子２１，２２夫々が電力端子３１，３２に接続され、信号端子２６及びＦＧ端子２７夫々が信号端子３６及びＦＧ端子３７に接続される。つまり、電力制御装置１ｂ及び蓄電装置４ｂが、充放電コネクタ２０及びインレット３０を介して接続される。この場合、蓄電装置４ｂは、電力制御装置１ｂが備えるインレット３０に直接的に接続されている。蓄電装置４ｂは、装置全体が電力制御装置１ｂの本体に内蔵されていてもよいし、例えば蓄電池４０が蓄電装置４ｂ及び電力制御装置１ｂの本体の外側に配置されていてもよい。
【００８１】
フォトカプラｊ１により、信号端子２６に印加された電圧信号を検出した充放電制御部１２は、蓄電池４０に対する充放電を開始する。蓄電装置４ｂに対する充放電を開始するＣＰＵ１２１の処理手順を示すフローチャートは、実施の形態１における図２に示すものと同一であるため、図示及びその説明を省略する。
【００８２】
以上のように本実施の形態１の変形例によれば、充放電コネクタ２０が、電力制御装置１ｂに配されたインレット３０と嵌合するようにしてあり、電力制御装置１ｂが自身のインレット３０を介して蓄電装置４ｂと接続される。
従って、充放電コネクタ２０が車両のインレットの代わりに電力制御装置１ｂのインレット３０に嵌合した場合、他の蓄電池（蓄電池４０）に対する充放電が可能となる。
【００８３】
また、実施の形態１及びその変形例によれば、充放電コネクタ２０が充放電ケーブル２の一端に取着されているため、充放電ケーブル２が届く範囲内で、充放電コネクタ２０と嵌号させるインレット３０を任意に選択することが可能となる。
【００８４】
（実施の形態２）
実施の形態１が、蓄電装置４ａの電力端子３１，３２に蓄電池４０が直接的に接続されている形態であるのに対し、実施の形態２は、電力端子３１，３２にリレー接点を介して蓄電池４０が接続されており、蓄電装置がリレー接点をオンにする蓄電制御部を備える形態である。
図４は、本発明の実施の形態２に係る電力制御システムの要部構成を示すブロック図である。電力制御装置１ａは、本体から延出する充放電ケーブル２の一端に取着された充放電コネクタ２０が、蓄電装置４ｃに配されたインレット３０に着脱自在に嵌合する。
【００８５】
蓄電装置４ｃは、蓄電池４０と、インレット３０に内包された電力端子３１，３２及び蓄電池４０間を接続する第１リレー接点４１１，４１１を有する第１リレー（第１スイッチに相当）４１と、第１リレー接点４１１，４１１をオンにする蓄電制御部４２と、インレット３０に内包された信号端子３６及びＦＧ端子３７間に接続された抵抗器Ｒ４と、抵抗器Ｒ４における電圧の発生又は電流の流入を検出する電圧／電流検出部４３とを備える。電圧／電流検出部４３及びＦＧ間に描かれた波線は、抵抗器Ｒ４の電圧が検出される場合に必要となる配線を表している。
【００８６】
蓄電制御部４２には、例えば蓄電池４０とは異なる補助電池から１２Ｖの電源が供給されている。蓄電装置４ｃにおける電源の電圧は１２Ｖに限定されず、補助電池以外の電源を用いるようにしてもよい（後述する実施の形態６及び８夫々の図１２及び１８における蓄電装置４ｇ及び４ｋについても同様）。第１リレー４１のリレーコイル４１２は、蓄電制御部４２に接続されている。第１リレー４１は、電磁リレーに限定されず、電子スイッチ等の他のスイッチであってもよい。
その他、実施の形態１に対応する箇所には同様の符号を付してその説明を省略する。
【００８７】
上述の構成において、充放電コネクタ２０が、例えば電力制御装置１ａの本体に設けられた充放電コネクタ２０のホルダ部から取り出されて蓄電装置４ｃのインレット３０に嵌合した場合、電力端子２１，２２夫々が電力端子３１，３２に接続され、信号端子２６及びＦＧ端子２７夫々が信号端子３６及びＦＧ端子３７に接続される。つまり、電力制御装置１ａ及び蓄電装置４ｃが、充放電コネクタ２０及びインレット３０を介して接続される。
【００８８】
電力制御装置１ａ及び蓄電装置４ｃが接続された場合、１２Ｖの電源からの電流が抵抗器（電気回路）Ｒ４に流れて電圧信号（所定信号）が発生し、発生した信号が信号端子（所定の信号端子）２６に入力され、入力された信号がフォトカプラｊ１により検出される。検出結果は充放電制御部１２のＣＰＵ１２１に取り込まれる。
【００８９】
この状態にて蓄電装置４ｃ側では、電圧／電流検出部４３が抵抗器Ｒ４における電圧の発生又は電流の流入を検出し、検出結果が蓄電制御部４２に取り込まれる。抵抗器Ｒ４における電圧の発生又は電流の流入を検出した蓄電制御部４２は、リレーコイル４１２を励磁して第１リレー接点４１１，４１１をオンにする。これにより、蓄電池４０が電力端子３１，３２に接続される。
【００９０】
一方の電力制御装置１ａ側では、電圧検出部１３が電力端子２１，２２に外部から印加される電圧を検出しており、第１リレー接点４１１，４１１がオンになった後に電圧検出部１３が蓄電池４０の電圧を検出することとなる。そして、充放電制御部１２が蓄電池４０に対する充放電を開始する。
【００９１】
以下では、上述した充放電制御部１２及び蓄電制御部４２の動作を、それを示すフローチャートを用いて説明する。
図５は、本発明の実施の形態２に係る電力制御システムで充放電を開始するＣＰＵ１２１の処理手順と、充放電を受け入れるＣＰＵ４２１の処理手順とを示すフローチャートである。
【００９２】
図５における電力制御装置１ａ側の処理は、充放電制御部１２による充放電の準備が整ったときに起動される。また、蓄電装置４ｃ側の処理は、蓄電制御部４２にて充放電を受け入れる準備が整ったときに起動される。電力制御装置１ａ側のステップＳ２１からＳ２８までの処理は、実施の形態１における図２のステップＳ１１からＳ１８までの処理と同一であるため、その説明の大部分を省略する。
【００９３】
電力制御装置１ａでは、充放電制御部１２のＣＰＵ１２１が、充電許可信号を検出した場合（Ｓ２１：ＹＥＳ）、処理をステップＳ２２に進める。この段階で、蓄電装置４ｃの抵抗器Ｒ４には、電力制御装置１ａの１２Ｖの電源からの電流が、フォトカプラｊ１、抵抗器Ｒ２及び信号端子２６，３６を介して流入している。
【００９４】
一方の蓄電装置４ｃでは、蓄電制御部４２のＣＰＵ４２１が、電圧／電流検出部４３により抵抗器Ｒ４における電圧の発生又は電流の流入を検出したか否かを判定し（Ｓ１２１）、検出しない場合（Ｓ１２１：ＮＯ）、検出するまで待機している。ＣＰＵ４２１は、電力制御装置１ａ側で充電許可信号が検出された直後に、抵抗器Ｒ４における電圧の発生又は電流の流入を検出し（Ｓ１２１：ＹＥＳ）、第１リレー接点４１１，４１１をオンにする（Ｓ１２３）。これにより、電力端子３１，３２及び２１，２２に蓄電池４０の電圧が印加される。
【００９５】
その後、ＣＰＵ４２１は、電圧／電流検出部４３により抵抗器Ｒ４における電圧の発生又は電流の流入を検出したか否かを判定し（Ｓ１２４）、検出した場合（Ｓ１２４：ＹＥＳ）、検出しなくなるまで待機する。電圧の発生又は電流の流入を検出しない場合（Ｓ１２４：ＮＯ）、即ち、充放電コネクタ２０がインレット３０から取り外されて抵抗器Ｒ４に電流が流入しなくなった場合、ＣＰＵ４２１は、第１リレー接点４１１，４１１をオフにして（Ｓ１２５）図５の処理を終了する。ＣＰＵ４２１が何らかの異常を検出した場合に、第１リレー接点４１１，４１１をオフにするようにしてもよい。
【００９６】
他方の電力制御装置１ａでは、ＣＰＵ１２１は、スタートボタンの押下を検出した場合（Ｓ２２：ＹＥＳ）、処理をステップＳ２４に進めるが、蓄電装置４ｃ側で第１リレー接点４１１，４１１がオンになる前はステップＳ２４，Ｓ２５の処理を繰り返している。蓄電装置４ｃ側で第１リレー接点４１１，４１１がオンになった後に、電圧検出部１３により電力端子２１，２２に印加された電圧を検出し（Ｓ２４）、検出した電圧が所定の閾値範囲内にあると判定した場合（Ｓ２５：ＹＥＳ）、ＣＰＵ１２１は、ステップＳ２６に処理を進める。ステップＳ２６からＳ２８までの処理については、説明を省略する。
【００９７】
以上のように本実施の形態２によれば、充放電コネクタ２０がインレット３０に嵌合したときに電力端子２１，２２に接続されるインレット３０内の電力端子３１，３２と蓄電池４０との間に第１リレー接点（第１スイッチ）４１１，４１１が介装されており、蓄電制御部４２のＣＰＵ４２１が第１リレー接点４１１，４１１をオンにする。
従って、蓄電制御部４２が第１スイッチ（第１リレー接点４１１，４１１）をオンにしない限り、他の蓄電池（蓄電池４０）の電圧が不用意にインレット３０内の電力端子３１，３２に印加されるのを防止することが可能になる。
【００９８】
また、実施の形態２によれば、抵抗器Ｒ４を含む電気回路である信号発生部に対し、充放電コネクタ２０の信号端子（所定の信号端子）２６を介して電力制御装置１ａ側から１２Ｖの電圧（所定電圧）が印加されるため、抵抗器（電気回路）Ｒ４に電流が流れて電圧が発生する。この電圧又は電流を電圧／電流検出部４３が検出した場合、蓄電制御部４２のＣＰＵ４２１が第１リレー接点（第１スイッチ）４１１，４１１をオンにする。
従って、電力制御装置１ａとの接続が蓄電装置４ｃ側で確認されたときに、インレット３０内の電力端子３１，３２に他の蓄電池（蓄電池４０）が接続されるため、他の蓄電池に接続される活電部の露出を防止することが可能となる。
【００９９】
（実施の形態３）
実施の形態２が、蓄電装置４ｃの蓄電制御部４２に補助電源から１２Ｖの電源が供給される形態であるのに対し、実施の形態３は、蓄電制御部４２に対して電力制御装置１ａ側から充放電コネクタ２０及びインレット３０を介して１２Ｖの電源が供給される形態である。
図６は、本発明の実施の形態３に係る電力制御システムの要部構成を示すブロック図である。電力制御装置１ａは、本体から延出する充放電ケーブル２の一端に取着された充放電コネクタ２０が、蓄電装置４ｄに配されたインレット３０に着脱自在に嵌合する。
【０１００】
蓄電装置４ｄは、信号端子２３に対応する信号端子３３をインレット３０に内包しており、信号端子３３からの電圧が電源電圧として蓄電制御部４２に供給される。蓄電装置４ｄと、実施の形態２で用いた蓄電装置４ｃとの違いは、蓄電制御部４２の電源電圧が信号端子３３から供給されるか否か、及び電圧／電流検出部４３を備えるか否かの差異のみである。
その他、実施の形態１及び２に対応する箇所には同様の符号を付してその説明を省略する。
【０１０１】
上述の構成において、充放電コネクタ２０が、例えば電力制御装置１ａの本体に設けられた充放電コネクタ２０のホルダ部から取り出されて蓄電装置４ｄのインレット３０に嵌合した場合、電力端子２１，２２夫々が電力端子３１，３２に接続され、信号端子２３，２６及びＦＧ端子２７夫々が信号端子３３，３６及びＦＧ端子３７に接続される。つまり、電力制御装置１ａ及び蓄電装置４ｄが、充放電コネクタ２０及びインレット３０を介して接続される。
【０１０２】
電力制御装置１ａ及び蓄電装置４ｄが接続された場合、１２Ｖの電源からの電流が抵抗器（電気回路）Ｒ４に流れて電圧信号（所定信号）が発生し、発生した信号が信号端子（所定の信号端子）２６に入力され、入力された信号がフォトカプラｊ１により検出される。検出結果は充放電制御部１２のＣＰＵ１２１に取り込まれる。フォトカプラｊ１により電圧信号を検出したＣＰＵ１２１は、リレーｄ１のリレー接点をオンにする。これにより、蓄電制御部４２には、信号端子２３，３３を介して１２Ｖの電源が供給される。
【０１０３】
この状態にて蓄電装置４ｄ側では、蓄電制御部４２が動作を開始する。動作を開始した後蓄電制御部４２は、充放電を受け入れる準備が整ったときにリレーコイル４１２を励磁して第１リレー接点４１１，４１１をオンにする。これにより、蓄電池４０が電力端子３１，３２に接続される。
【０１０４】
一方の電力制御装置１ａ側では、電圧検出部１３が電力端子２１，２２に外部から印加される電圧を検出しており、第１リレー接点４１１，４１１がオンになった後に電圧検出部１３が蓄電池４０の電圧を検出することとなる。そして、充放電制御部１２が蓄電池４０に対する充放電を開始する。
【０１０５】
以下では、上述した充放電制御部１２及び蓄電制御部４２の動作を、それを示すフローチャートを用いて説明する。なお、本実施の形態３では、リレーｄ１のオンと、リレーｄ１のリレー接点のオンとを同じ意味で用いる（リレーｄ１，ｄ２について、以下同様）。
図７は、本発明の実施の形態３に係る電力制御システムで充放電を開始するＣＰＵ１２１の処理手順と、充放電を受け入れるＣＰＵ４２１の処理手順とを示すフローチャートである。
【０１０６】
図７における電力制御装置１ａ側の処理は、充放電制御部１２による充放電の準備が整ったときに起動される。また、蓄電装置４ｄ側の処理は、蓄電制御部４２に電源が供給された後に適時起動される。電力制御装置１ａ側のステップＳ３１，３２及びＳ３４からＳ３８までの処理は、実施の形態１における図２のステップＳ１１，１２及びＳ１４からＳ１８までの処理（又は実施の形態２における図５のステップＳ２１，２２及びＳ２４からＳ２８までの処理）と同一であるため、その説明の大部分を省略する。
【０１０７】
電力制御装置１ａでは、充放電制御部１２のＣＰＵ１２１が、スタートボタンの押下を検出した場合（Ｓ３２：ＹＥＳ）、リレーｄ１をオンにする（Ｓ３３）。これにより１２Ｖの電源が供給された蓄電制御部４２が動作を開始する。その後、ＣＰＵ１２１は、処理をステップＳ３４に進めるが、蓄電装置４ｄ側で第１リレー接点４１１，４１１がオンになる前はステップＳ３４，Ｓ３５の処理を繰り返している。
【０１０８】
一方の蓄電装置４ｄでは、動作を開始した蓄電制御部４２のＣＰＵ４２１が、充放電の受け入れ準備が整ったときに第１リレー接点４１１，４１１をオンにする（Ｓ１３１）。これにより、電力端子３１，３２及び２１，２２に蓄電池４０の電圧が印加される。その後、ＣＰＵ４２１は、何らかの異常を検出したか否かを判定し（Ｓ１３２）、検出しない場合（Ｓ１３２：ＮＯ）、異常を検出するまで待機する。異常を検出した場合（Ｓ１３２：ＹＥＳ）、ＣＰＵ４２１は、第１リレー接点４１１，４１１をオフにして（Ｓ１３３）図７の処理を終了する。
【０１０９】
他方の電力制御装置１ａでは、蓄電装置４ｄ側で第１リレー接点４１１，４１１がオンになった後に、ＣＰＵ１２１が、電圧検出部１３により電力端子２１，２２に印加された電圧を検出し（Ｓ３４）、検出した電圧が所定の閾値範囲内にあると判定した場合（Ｓ３５：ＹＥＳ）、ステップＳ３６に処理を進める。
【０１１０】
ステップＳ３６及びＳ３７の処理については、説明を省略する。その後、充放電を停止した（Ｓ３８）ＣＰＵ１２１は、リレーｄ１をオフにして（Ｓ３９）図７の処理を終了する。これにより、蓄電制御部４２に対する１２Ｖの電源の供給が停止される。電源の供給が絶たれた蓄電制御部４２のＣＰＵ４２１は、動作を停止する。
【０１１１】
以上のように本実施の形態３によれば、信号端子（所定の信号端子）２６に入力された電圧信号（所定信号）をフォトカプラ（信号検出部）ｊ１が検出した場合、充放電制御部１２のＣＰＵ１２１がリレー（第２スイッチ）ｄ１をオンにすることにより、充放電コネクタ２０内の信号端子（第２の信号端子）２３に１２Ｖの電圧（所定電圧）が印加され、この１２Ｖの電圧がインレット３０内の信号端子３３を介して電源電圧として蓄電制御部４２に供給される。
従って、蓄電装置４ｄ側に蓄電制御部４２のための電源を不要とすることが可能になる。
【０１１２】
（実施の形態４）
実施の形態３が、電力端子３１，３２及び蓄電池４０間に接続された第１リレー接点４１１，４１１が、蓄電制御部４２からしかオン又はオフにできない形態であるのに対し、実施の形態４は、第１リレー接点４１１，４１１が、充放電制御部１２からもオン又はオフにできる形態である。
図８は、本発明の実施の形態４に係る電力制御システムの要部構成を示すブロック図である。電力制御装置１ａは、本体から延出する充放電ケーブル２の一端に取着された充放電コネクタ２０が、蓄電装置４ｅに配されたインレット３０に着脱自在に嵌合する。
【０１１３】
蓄電装置４ｅは、蓄電池４０と、インレット３０に内包された電力端子３１，３２及び蓄電池４０間を接続する第１リレー接点４１１，４１１を有する第１リレー４１と、第１リレー接点４１１，４１１をオンにするリレーコイル４１２，４１２に直列接続された常開型の第２リレー接点４４１を有する第２リレー４４と、第２リレー接点４４１をオンにする蓄電制御部４２と、インレット３０に内包された信号端子３６及びＦＧ端子３７間に接続された抵抗器Ｒ４とを備える。リレー接点４１１，４１１は常開型である。インレット３０は、信号端子２３，２４に対応する信号端子３３，３４を更に内包している。
【０１１４】
蓄電制御部４２には、信号端子３３からの電圧が電源電圧として供給される。第１リレー４１のリレーコイル４１２，４１２及び第２リレー接点４４１の直列回路は、信号端子３３及び３４間に接続されている。第２リレー４４のリレーコイル４４２は、蓄電制御部４２に接続されている。
その他、実施の形態１及び３に対応する箇所には同様の符号を付してその説明を省略する。
【０１１５】
上述の構成において、充放電コネクタ２０が、例えば電力制御装置１ａの本体に設けられた充放電コネクタ２０のホルダ部から取り出されて蓄電装置４ｅのインレット３０に嵌合した場合、電力端子２１，２２夫々が電力端子３１，３２に接続され、信号端子２３，２４，２６及びＦＧ端子２７夫々が信号端子３３，３４，３６及びＦＧ端子３７に接続される。つまり、電力制御装置１ａ及び蓄電装置４ｅが、充放電コネクタ２０及びインレット３０を介して接続される。
【０１１６】
電力制御装置１ａ及び蓄電装置４ｅが接続された場合、１２Ｖの電源からの電流が抵抗器（電気回路）Ｒ４に流れて電圧信号（所定信号）が発生し、発生した信号が信号端子（所定の信号端子）２６に入力され、入力された信号がフォトカプラｊ１により検出される。検出結果は充放電制御部１２のＣＰＵ１２１に取り込まれる。フォトカプラｊ１により電圧信号を検出したＣＰＵ１２１は、リレーｄ１，ｄ２夫々のリレー接点をオンにする。これにより、蓄電制御部４２には、信号端子２３，３３を介して１２Ｖの電源が供給されると共に、リレーコイル４１２，４１２及び第２リレー接点４４１の直列回路に信号端子２３，３３及び２４，３４を介して１２Ｖの電源が供給される。
【０１１７】
この状態にて蓄電装置４ｅ側では、蓄電制御部４２が動作を開始する。動作を開始した蓄電制御部４２は、充放電を受け入れる準備が整ったときにリレーコイル４４２を励磁して第２リレー接点４４１をオンにする。このため、リレーコイル４１２，４１２が励磁されて第１リレー接点４１１，４１１がオンになる。これにより、蓄電池４０が電力端子３１，３２に接続される。
【０１１８】
一方の電力制御装置１ａ側では、電圧検出部１３が電力端子２１，２２に外部から印加される電圧を検出しており、第１リレー接点４１１，４１１がオンになった後に電圧検出部１３が蓄電池４０の電圧を検出することとなる。そして、充放電制御部１２が蓄電池４０に対する充放電を開始する。
【０１１９】
以下では、上述した充放電制御部１２及び蓄電制御部４２の動作を、それを示すフローチャートを用いて説明する。
図９は、本発明の実施の形態４に係る電力制御システムで充放電を開始するＣＰＵ１２１の処理手順と、充放電を受け入れるＣＰＵ４２１の処理手順とを示すフローチャートである。
【０１２０】
図９における電力制御装置１ａ側の処理は、充放電制御部１２による充放電の準備が整ったときに起動される。また、蓄電装置４ｅ側の処理は、蓄電制御部４２に電源が供給された後に適時起動される。電力制御装置１ａ側のステップＳ４１，４２及びＳ４４からＳ４８までの処理は、実施の形態１における図２のステップＳ１１，１２及びＳ１４からＳ１８までの処理（又は実施の形態３における図７のステップＳ３１，３２及びＳ３４からＳ３８までの処理）と同一であるため、その説明の大部分を省略する。
【０１２１】
電力制御装置１ａで、充放電制御部１２のＣＰＵ１２１は、スタートボタンの押下を検出した場合（Ｓ４２：ＹＥＳ）、リレーｄ１，ｄ２をオンにする（Ｓ４３）。これにより１２Ｖの電源が供給された蓄電制御部４２が動作を開始すると共に、リレーコイル４１２，４１２及び第２リレー接点４４１の直列回路に１２Ｖの電源が供給される。なお、リレーｄ２は、充放電の準備が整ったときにオンにするようにしてもよい。その後、ＣＰＵ１２１は、処理をステップＳ４４に進めるが、蓄電装置４ｅ側で第１リレー接点４１１，４１１がオンになる前はステップＳ４４，Ｓ４５の処理を繰り返している。
【０１２２】
一方の蓄電装置４ｅでは、動作を開始した蓄電制御部４２のＣＰＵ４２１が、充放電の受け入れ準備が整ったときに第２リレー接点４４１をオンにする（Ｓ１４１）。これにより、第１リレー接点４１１，４１１がオンになり、電力端子３１，３２及び２１，２２に蓄電池４０の電圧が印加される。その後、ＣＰＵ４２１は、何らかの異常を検出したか否かを判定し（Ｓ１４２）、検出しない場合（Ｓ１４２：ＮＯ）、異常を検出するまで待機する。異常を検出した場合（Ｓ１４２：ＹＥＳ）、ＣＰＵ４２１は、第２リレー接点４４１をオフにして（Ｓ１４３）図９の処理を終了する。
【０１２３】
他方の電力制御装置１ａでは、蓄電装置４ｅ側で第１リレー接点４１１，４１１がオンになった後に、ＣＰＵ１２１が、電圧検出部１３により電力端子２１，２２に印加された電圧を検出し（Ｓ４４）、検出した電圧が所定の閾値範囲内にあると判定した場合（Ｓ４５：ＹＥＳ）、ステップＳ４６に処理を進める。
【０１２４】
ステップＳ４６及びＳ４７の処理については、説明を省略する。その後、充放電を停止した（Ｓ４８）ＣＰＵ１２１は、リレーｄ１，ｄ２をオフにして（Ｓ４９）図９の処理を終了する。これにより、蓄電制御部４２に対する１２Ｖの電源の供給が停止される。電源の供給が絶たれた蓄電制御部４２のＣＰＵ４２１は、動作を停止する。
【０１２５】
以上のように本実施の形態４によれば、充放電コネクタ２０がインレット３０に嵌合したときに電力端子２１，２２に接続されるインレット３０内の電力端子３１，３２と蓄電池（他の蓄電池）４０との間に常開型の第１リレー接点４１１，４１１が介装されており、第１リレー接点４１１，４１１をオンにするリレーコイル４１２，４１２及び第２リレー接点４４１の直列回路を、充放電コネクタ２０がインレット３０に嵌合したときに充放電コネクタ２０内の信号端子（第２及び第３の信号端子）２３，２４夫々に接続されるインレット３０内の信号端子３３，３４に接続してある。信号端子（所定の信号端子）２６に入力された電圧信号（所定信号）をフォトカプラ（信号検出部）ｊ１が検出した場合、充放電制御部１２のＣＰＵ１２１がリレー（第２及び第３スイッチ）ｄ１，ｄ２をオンにすることにより、信号端子２３に１２Ｖの電圧（所定電圧）が印加され、信号端子２４がＦＧ（接地電位）に接続される。この場合、蓄電制御部４２のＣＰＵ４２１が第２リレー接点４４１をオンにしている間は、インレット３０を介してリレーコイル４１２，４１２に１２Ｖの電圧が印加されるため、第１リレー接点４１１，４１１がオンになって蓄電池４０が電力端子３１，３２に接続される。
従って、充放電制御部１２が第２又は第３スイッチをオフにすることにより、インレット３０を介してリレーコイル４１２，４１２に所定電圧が印加されなくなり、第１リレー接点４１１，４１１がオフになるため、他の蓄電池（蓄電池４０）を電力端子３１，３２から切り離すことが可能となる。
また、例えばステップＳ４７で何らかの異常が検出されたときに、充放電制御部１２が第２スイッチ（リレーｄ１）をオンに保持して第３スイッチ（リレーｄ２）をオフにした場合は、蓄電制御部４２の動作を停止させることなく、他の蓄電池（蓄電池４０）を電力端子３１，３２から切り離すことが可能となる。
【０１２６】
また、実施の形態４によれば、蓄電制御部４２は、信号端子（第２の信号端子）２３に接続されるインレット３０内の信号端子３３から１２Ｖの電圧（電源電圧）が供給された場合、ＣＰＵ４２１が常開型の第２リレー接点４４１をオンにする。
従って、蓄電装置４ｅ側で例えば充放電を受け入れる準備が整ったときに第１リレー接点４１１，４１１をオンにして、他の蓄電池（蓄電池４０）をインレット３０内の電力端子３１，３２に接続することが可能となる。また、蓄電装置４ｅ側に蓄電制御部４２のための電源を不要とすることができる。
また、例えばステップＳ１４２で何らかの異常が検出されたときに、蓄電制御部４２が第２リレー接点４４１をオフにした場合は、電力制御装置１ａ側からの制御に関わりなく、他の蓄電池（蓄電池４０）を電力端子３１，３２から切り離すことが可能となる。
【０１２７】
（実施の形態５）
実施の形態４が、常開型の第２リレー接点４４１を用いる形態であるのに対し、実施の形態５は、常閉型の第２リレー接点を用いる形態である。
図１０は、本発明の実施の形態５に係る電力制御システムの要部構成を示すブロック図である。電力制御装置１ａは、本体から延出する充放電ケーブル２の一端に取着された充放電コネクタ２０が、蓄電装置４ｆに配されたインレット３０に着脱自在に嵌合する。
【０１２８】
蓄電装置４ｆは、第１リレー接点４１１，４１１をオンにするリレーコイル４１２，４１２に直列接続された常閉型の第２リレー接点４５１を有する第２リレー４５を備える。第２リレー４５のリレーコイル４５２は、蓄電制御部４２に接続されている。蓄電装置４ｆと、実施の形態４で用いた蓄電装置４ｅとの違いは、リレーコイル４１２，４１２と直列接続されたリレー接点が、常閉型であるか常開型であるかの差異のみである。
その他、実施の形態１及び４に対応する箇所には同様の符号を付してその説明を省略する。また、以下では、主に第２リレー接点４５１が常閉型であることによる実施の形態４との差異に着目した説明を行う。
【０１２９】
電力制御装置１ａ及び蓄電装置４ｆが、充放電コネクタ２０及びインレット３０を介して接続された場合、フォトカプラｊ１により充電許可信号を検出したＣＰＵ１２１は、リレーｄ１，ｄ２のリレー接点をオンにする。これにより、蓄電制御部４２には、信号端子２３，３３を介して１２Ｖの電源が供給されると共に、リレーコイル４１２，４１２及び第２リレー接点４５１の直列回路に信号端子２３，３３及び２４，３４を介して１２Ｖの電源が供給される。
【０１３０】
この状態にて蓄電装置４ｆ側では、蓄電制御部４２が動作を開始する。また、第２リレー接点４５１が既にオンになっているため、リレーコイル４１２，４１２が励磁されて第１リレー接点４１１，４１１がオンになる。これにより、蓄電池４０が電力端子３１，３２に接続される。
【０１３１】
なお、ＣＰＵ１２１は、リレーｄ１，ｄ２のリレー接点を同時的にオンにするのではなく、以下の（ａ）〜（ｃ）の処理順序でオンにしてもよい。
（ａ）リレー接点ｄ１をオンにする。
これにより、蓄電制御部４２に電源が供給される。
（ｂ）例えば所定時間だけ待機して、蓄電制御部４２の立ち上がりを待つ。
この間に動作を開始した蓄電制御部４２のＣＰＵ４２１は、蓄電池４０に対する充放電が禁止される状態であると判定した場合、リレーコイル４５２を励磁して第２リレー接点４５１をオフにすることができる。
（ｃ）リレー接点ｄ２をオンにする。
これにより、リレーコイル４１２，４１２が励磁されて、第１リレー接点４１１，４１１がオンになる。但し、上記（ｂ）にて、第２リレー接点４５１がオフになった場合は、リレーコイル４１２，４１２が励磁されず、第１リレー接点４１１，４１１はオンにならない。
【０１３２】
一方の電力制御装置１ａ側では、電圧検出部１３が電力端子２１，２２に外部から印加される電圧を検出しており、程なく電圧検出部１３が蓄電池４０の電圧を検出することとなる。そして、充放電制御部１２が蓄電池４０に対する充放電を開始する。
【０１３３】
以下では、上述した充放電制御部１２及び蓄電制御部４２の動作を、それを示すフローチャートを用いて説明する。
図１１は、本発明の実施の形態５に係る電力制御システムで充放電を開始するＣＰＵ１２１の処理手順と、充放電を受け入れるＣＰＵ４２１の処理手順とを示すフローチャートである。
【０１３４】
図１１における電力制御装置１ａ側の処理は、充放電制御部１２による充放電の準備が整ったときに起動される。また、蓄電装置４ｆ側の処理は、蓄電制御部４２に電源が供給された後に適時起動される。電力制御装置１ａ側のステップＳ５１からＳ５９までの処理は、実施の形態４における図９のステップＳ４１からＳ４９までの処理と同一であるため、その説明の大部分を省略する。
【０１３５】
電力制御装置１ａでは、充放電制御部１２のＣＰＵ１２１が、スタートボタンの押下を検出した場合（Ｓ５２：ＹＥＳ）、リレーｄ１，ｄ２をオンにする（Ｓ５３）。これにより、蓄電制御部４２に１２Ｖの電源が供給されると共に、リレーコイル４１２，４１２及び第２リレー接点４５１の直列回路に１２Ｖの電源が供給されて第１リレー接点４１１，４１１がオンになり、電力端子３１，３２及び２１，２２に蓄電池４０の電圧が印加される。なお、リレーｄ２は、充放電の準備が整ったときにオンにするようにしてもよい。その後、ＣＰＵ１２１は、処理をステップＳ５４に進め、程なく電圧検出部１３により電力端子２１，２２に印加された電圧を検出し（Ｓ５４）、検出した電圧が所定の閾値範囲内にあると判定した場合（Ｓ５５：ＹＥＳ）、ステップＳ５６に処理を進める。
【０１３６】
一方の蓄電装置４ｆでは、電源が供給されて動作を開始した蓄電制御部４２のＣＰＵ４２１が、何らかの異常を検出したか否かを判定し（Ｓ１５２）、検出しない場合（Ｓ１５２：ＮＯ）、異常を検出するまで待機する。異常を検出した場合（Ｓ１５２：ＹＥＳ）、ＣＰＵ４２１は、第２リレー接点４５１をオフにして（Ｓ１５３）図１１の処理を終了する。また、ＣＰＵ４２１が異常を検出する前に、電力制御装置１ａ側でリレーｄ１，ｄ２がオフになった（Ｓ５９）場合は、その時点でＣＰＵ４２１が動作を停止する。
【０１３７】
以上のように本実施の形態５によれば、蓄電制御部４２は、信号端子（第２の信号端子）２３に接続されるインレット３０内の信号端子３３から１２Ｖの電圧（電源電圧）が供給され、ＣＰＵ４２１が常閉型の第２リレー接点４５１をオフにする。
従って、例えば何らかの異常があったときに第１リレー接点４１１，４１１をオフにして、他の蓄電池（蓄電池４０）をインレット３０内の電力端子３１，３２から切り離すことが可能となる。また、蓄電装置４ｆ側に蓄電制御部４２のための電源を不要にすることができる。
【０１３８】
（実施の形態６）
実施の形態２が、抵抗器Ｒ４における電圧の発生又は電流の流入を検出したときに蓄電制御部４２が第１リレー接点４１１，４１１をオンにする形態であるのに対し、実施の形態６は、ＣＡＮ通信により充放電に係るパラメータを交換したときに蓄電制御部４２が第１リレー接点４１１，４１１をオンにする形態である。
図１２は、本発明の実施の形態６に係る電力制御システムの要部構成を示すブロック図である。電力制御装置１ａは、本体から延出する充放電ケーブル２の一端に取着された充放電コネクタ２０が、蓄電装置４ｇに配されたインレット３０に着脱自在に嵌合する。
【０１３９】
蓄電装置４ｇは、インレット３０を介して充放電に係る情報をＣＡＮ通信により送受信するＣＡＮ通信部（第１通信部及び通信部に相当）４６を備える。ＣＡＮ通信部４６は蓄電制御部４２に接続されている。蓄電装置４ｇと、実施の形態２で用いた蓄電装置４ｃとの違いは、ＣＡＮ通信部４６を備えるか否か、及び電圧／電流検出部４３を備えるか否かの差異のみである。
その他、実施の形態１及び２に対応する箇所には同様の符号を付してその説明を省略する。
【０１４０】
上述の構成において、充放電コネクタ２０が、例えば電力制御装置１ａの本体に設けられた充放電コネクタ２０のホルダ部から取り出されて蓄電装置４ｇのインレット３０に嵌合した場合、電力端子２１，２２夫々が電力端子３１，３２に接続され、信号端子２６、ＦＧ端子２７及び通信端子２８夫々が信号端子３６、ＦＧ端子３７及び通信端子３８に接続される。つまり、電力制御装置１ａ及び蓄電装置４ｇが、充放電コネクタ２０及びインレット３０を介して接続される。
【０１４１】
電力制御装置１ａ及び蓄電装置４ｇが、充放電コネクタ２０及びインレット３０を介して接続された場合、１２Ｖの電源からの電流が抵抗器（電気回路）Ｒ４に流れて電圧信号（所定信号）が発生し、発生した信号が信号端子（所定の信号端子）２６に入力され、入力された信号がフォトカプラｊ１により検出される。検出結果は充放電制御部１２のＣＰＵ１２１に取り込まれる。この時点でＣＡＮ通信部１６及び４６は、互いにＣＡＮ通信が可能である。
【０１４２】
フォトカプラｊ１により、信号端子２６に印加された電圧信号を検出した充放電制御部１２は、蓄電装置４ｇに対して、ＣＡＮ通信によりＣＡＮ通信開始の指示を送信し、その応答を受信し、充放電に係る情報を送受信する。その後、蓄電制御部４２は、充放電を受け入れる準備が整ったときに、第１リレー接点４１１，４１１をオンにすると共に、ＣＡＮ通信により準備完了の通知を送信する。そして、準備完了の通知を受信した充放電制御部１２が、蓄電池４０に対する充放電を開始する。
【０１４３】
以下では、上述した充放電制御部１２及び蓄電制御部４２の動作を、それを示すフローチャートを用いて詳細に説明する。
図１３及び１４は、本発明の実施の形態６に係る電力制御システムで充放電を開始するＣＰＵ１２１の処理手順と、充放電を受け入れるＣＰＵ４２１の処理手順とを示すフローチャートである。図１３における電力制御装置１ａ側の処理は、充放電制御部１２による充放電の準備が整ったときに起動される。また、蓄電装置４ｇ側の処理は、蓄電制御部４２にて充放電を受け入れる準備が整ったときに起動される。
【０１４４】
電力制御装置１ａでは、充放電制御部１２のＣＰＵ１２１が、操作表示部１４によりスタートボタンが押下されたか否かを判定し（Ｓ６１）、押下されていない場合（Ｓ６１：ＮＯ）、押下されるまで待機する。スタートボタンが押下された場合（Ｓ６１：ＹＥＳ）、ＣＰＵ１２１は、フォトカプラｊ１により充電許可信号を検出したか否かを判定する（Ｓ６２）。
【０１４５】
充電許可信号を検出しない場合（Ｓ６２：ＮＯ）、ＣＰＵ１２１は、ＣＨＡｄｅＭＯ規格又は電動自動車用充放電システムガイドラインに準拠する充放電を実行して（Ｓ６３）図１３の処理を終了する。これに対し、充電許可信号を検出した場合（Ｓ６２：ＹＥＳ）、ＣＰＵ１２１は、ＣＡＮ通信部１６によりＣＡＮ通信開始の指示を送信する（Ｓ６５）。
【０１４６】
一方の蓄電装置４ｇでは、蓄電制御部４２のＣＰＵ４２１が、ＣＡＮ通信部４６によりＣＡＮ通信開始の指示を受信したか否かを判定し（Ｓ１６１）、受信しない場合（Ｓ１６１：ＮＯ）、受信するまで待機している。ＣＡＮ通信開始の指示を受信した場合（Ｓ１６１：ＹＥＳ）、ＣＰＵ４２１は、ＣＡＮ通信開始の応答を送信する（Ｓ１６２）。
【０１４７】
他方の電力制御装置１ａでは、ＣＰＵ１２１が、ＣＡＮ通信開始の応答を受信したか否かを判定し（Ｓ６６）、受信しない場合（Ｓ６６：ＮＯ）、受信するまで待機している。ＣＡＮ通信開始の応答を受信した場合（Ｓ６６：ＹＥＳ）、ＣＰＵ１２１は、ＣＡＮ通信により充放電に係る情報を送受信してＣＰＵ４２１との間でパラメータを交換した（Ｓ６７）後に、不図示のロック機構により充放電コネクタ２０をロックする（Ｓ６８）。これにより、充放電中の充放電コネクタ２０がインレット３０から取り外されるのを防止する。
【０１４８】
一方の蓄電装置４ｇでは、パラメータの交換（Ｓ１６３）を終えたＣＰＵ１２１が、ＣＡＮ通信にて準備完了の通知を送信した（Ｓ１６４）後に、第１リレー接点４１１，４１１をオンにする（Ｓ１６５）。これにより、電力端子３１，３２及び２１，２２に蓄電池４０が接続される。
【０１４９】
他方の電力制御装置１ａでは、ＣＰＵ１２１が、ＣＡＮ通信にて準備完了の通知を受信したか否かを判定し（Ｓ６９）、受信しない場合（Ｓ６９：ＮＯ）、受信するまで待機している。準備完了の通知を受信した場合（Ｓ６９：ＹＥＳ）、ＣＰＵ１２１は、ＡＣ／ＤＣ変換部１１による蓄電池４０に対する充放電を開始する（Ｓ７０）。
【０１５０】
図１４に移って、ＣＰＵ１２１は、蓄電池４０について、充放電停止の条件が充足されるか否かを判定し（Ｓ７１）、充足されない場合（Ｓ７１：ＮＯ）、充電停止の条件が充足されるまで待機する。充電停止の条件が充足された場合（Ｓ７１：ＹＥＳ）、ＣＰＵ１２１は、ＣＡＮ通信にて充放電終了の指示を送信する（Ｓ７２）。
【０１５１】
一方の蓄電装置４ｇでは、ＣＰＵ４２１が、ＣＡＮ通信にて充放電終了の指示を受信したか又は何らかの異常を検出したか否かを判定し（Ｓ１７１）、指示を受信せず且つ異常を検出しない場合（Ｓ１７１：ＮＯ）、充放電終了の指示を受信するか又は異常を検出するまで待機している。充放電終了の指示を受信したか又は異常を検出した場合（Ｓ１７１：ＹＥＳ）、ＣＰＵ４２１は、第１リレー接点４１１，４１１をオフにした（Ｓ１７２）後に、ＣＡＮ通信終了の要求を送信する（Ｓ１７３）。
【０１５２】
他方の電力制御装置１ａでは、ＣＰＵ１２１が、ＣＡＮ通信終了の要求を受信したか否かを判定し（Ｓ７３）、受信しない場合（Ｓ７３：ＮＯ）、ＣＡＮ通信終了の要求を受信するまで待機している。ＣＡＮ通信終了の要求を受信した場合（Ｓ７３：ＹＥＳ）、ＣＰＵ１２１は、充放電コネクタ２０のロックを解除し（Ｓ７５）、ＣＡＮ通信終了の指示を送信して（Ｓ７６）図１３，１４の処理を終了する。
【０１５３】
一方の蓄電装置４ｇでは、ＣＰＵ４２１が、ＣＡＮ通信終了の指示を受信したか否かを判定し（Ｓ１７４）、受信しない場合（Ｓ１７４：ＮＯ）、ＣＡＮ通信終了の指示を受信するまで待機している。ＣＡＮ通信終了の指示を受信した場合（Ｓ１７４：ＹＥＳ）、ＣＰＵ４２１は、図１３，１４の処理を終了する。
【０１５４】
以上のように本実施の形態６によれば、電力制御装置１ａのＣＡＮ通信部（第２通信部）１６が蓄電装置４ｇのＣＡＮ通信部（第１通信部）４６との間で充放電コネクタ２０及びインレット３０を介して充放電に係る情報を送受信した場合、電力制御装置１ａのＣＰＵ１２１が蓄電池（他の蓄電池）４０に対する充電又は放電を開始する。
従って、例えば充放電に要する情報が授受された場合に、他の蓄電池（蓄電池４０）に対する充放電が可能となる。
【０１５５】
（実施の形態７）
実施の形態６が、蓄電装置４ｇの蓄電制御部４２に補助電源から１２Ｖの電源が供給される形態であるのに対し、実施の形態７は、蓄電制御部４２に対して電力制御装置１ａ側から充放電コネクタ２０及びインレット３０を介して１２Ｖの電源が供給される形態である。
図１５は、本発明の実施の形態７に係る電力制御システムの要部構成を示すブロック図である。電力制御装置１ａは、本体から延出する充放電ケーブル２の一端に取着された充放電コネクタ２０が、蓄電装置４ｈに配されたインレット３０に着脱自在に嵌合する。
【０１５６】
蓄電装置４ｈと、実施の形態６で用いた蓄電装置４ｇとの違いは、蓄電制御部４２の電源電圧が信号端子３３から供給されるか否かの差異のみである。
その他、実施の形態１及び６に対応する箇所には同様の符号を付してその説明を省略する。また、以下では、主に蓄電制御部４２の電源電圧が信号端子３３から供給されることによる実施の形態６との差異に着目した説明を行う。
【０１５７】
電力制御装置１ａ及び蓄電装置４ｈが、充放電コネクタ２０及びインレット３０を介して接続された場合、フォトカプラｊ１により充電許可信号を検出したＣＰＵ１２１は、リレーｄ１のリレー接点をオンにする。その結果、信号端子２３，３３を介して１２Ｖの電源が蓄電制御部４２に供給され、蓄電制御部４２が動作を開始してＣＡＮ通信によりＣＡＮ通信開始の要求を送信する。
【０１５８】
一方、蓄電装置４ｈからＣＡＮ通信開始の要求を受信した充放電制御部１２は、ＣＡＮ通信開始の通知を送信し、この通知を受信した蓄電制御部４２との間で充放電に係る情報を送受信する。その後、蓄電制御部４２は、充放電を受け入れる準備が整ったときに、第１リレー接点４１１，４１１をオンにすると共に、ＣＡＮ通信により準備完了の通知を送信する。そして、準備完了の通知を受信した充放電制御部１２が、蓄電池４０に対する充放電を開始する。
【０１５９】
以下では、上述した充放電制御部１２及び蓄電制御部４２の動作を、それを示すフローチャートを用いて詳細に説明する。
図１６及び１７は、本発明の実施の形態７に係る電力制御システムで充放電を開始するＣＰＵ１２１の処理手順と、充放電を受け入れるＣＰＵ４２１の処理手順とを示すフローチャートである。図１６における電力制御装置１ａ側の処理は、充放電制御部１２による充放電の準備が整ったときに起動される。また、蓄電装置４ｈ側の処理は、蓄電制御部４２に電源が供給された後に適時起動される。図１６では蓄電装置４ｈ側からのＣＡＮ通信開始の要求によってＣＡＮ通信が始まるが、実施の形態６における図１３に示したように、電力制御装置１側からのＣＡＮ通信開始の指示によってＣＡＮ通信が始まるようにしてもよい。
【０１６０】
電力制御装置１ａ側のステップＳ８４，Ｓ８５，Ｓ８６，Ｓ９４を除くステップＳ８１からＳ９６までの処理は、実施の形態６の図１３，１４におけるステップＳ６５，Ｓ６６を除くステップＳ６１からＳ７６までの処理と同一であるため、その説明の大部分を省略する。また、蓄電装置４ｈ側のステップＳ１８３からＳ１９３までの処理は、実施の形態６の図１３，１４におけるステップＳ１６３からＳ１７３までの処理と同一であるため、その説明の大部分を省略する。
【０１６１】
電力制御装置１ａでは、充放電制御部１２のＣＰＵ１２１が、充電許可信号を検出した場合（Ｓ８２：ＹＥＳ）、リレーｄ１をオンにする（Ｓ８４）。これにより、蓄電制御部４２に１２Ｖの電源が供給される。
【０１６２】
一方の蓄電装置４ｈでは、電源が供給されて動作を開始した蓄電制御部４２のＣＰＵ４２１が、ＣＡＮ通信部４６によりＣＡＮ通信開始の要求を送信する（Ｓ１８１）。
【０１６３】
他方の電力制御装置１ａでは、ＣＰＵ１２１が、ＣＡＮ通信部４６によりＣＡＮ通信開始の要求を受信したか否かを判定し（Ｓ８５）、受信しない場合（Ｓ８５：ＮＯ）、受信するまで待機している。ＣＡＮ通信開始の要求を受信した場合（Ｓ８５：ＹＥＳ）、ＣＰＵ１２１は、ＣＡＮ通信開始の通知を送信し（Ｓ８６）、ＣＰＵ４２１との間でパラメータの交換を行うステップＳ８７に処理を進める。以降のステップＳ８８からＳ９３までの処理及びステップＳ９５，Ｓ９６の処理については説明を省略する。
【０１６４】
一方の蓄電装置４ｈでは、ＣＰＵ４２１が、ＣＡＮ通信開始の通知を受信したか否かを判定し（Ｓ１８２）、受信しない場合（Ｓ１８２：ＮＯ）、受信するまで待機している。ＣＡＮ通信開始の通知を受信した場合（Ｓ１８２：ＹＥＳ）、ＣＰＵ４２１は、充放電に係る情報を送受信してＣＰＵ１２１との間でパラメータの交換を行うステップＳ１８３に処理を進める。以降のステップＳ１８４からＳ１９３までの処理については説明を省略する。
【０１６５】
その後、電力制御装置１ａでは、ＣＰＵ１２１が、ＣＡＮ通信終了の要求を受信した場合（Ｓ９３：ＹＥＳ）、リレーｄ１をオフにする（Ｓ９４）。これにより、蓄電制御部４２に対する１２Ｖの電源の供給が停止される。電源の供給が絶たれた蓄電制御部４２のＣＰＵ４２１は、動作を停止する。このため、ステップＳ９６で送信されたＣＡＮ通信終了の指示が受信されることはない。但し、蓄電制御部４２に電源が供給され続けている場合は、ＣＡＮ通信終了の指示を受信する処理をステップＳ１９３の後に挿入しておくことにより、ＣＰＵ４２１がＣＡＮ通信終了の指示を受信して図１６，１７の処理を終了することができる。
【０１６６】
以上のように本実施の形態７によれば、電力制御装置１ａのＣＡＮ通信部（第２通信部）１６が蓄電装置４ｈのＣＡＮ通信部（第１通信部）４６との間で充放電コネクタ２０及びインレット３０を介して充放電に係る情報を送受信した場合、電力制御装置１ａのＣＰＵ１２１が蓄電池（他の蓄電池）４０に対する充電又は放電を開始する。
従って、実施の形態６と同様、充放電に要する情報が授受された場合に、他の蓄電池（蓄電池４０）に対する充放電が可能となる。
【０１６７】
（実施の形態８）
実施の形態２が、電圧／電流検出部４３が抵抗器Ｒ４における電圧の発生又は電流の流入を検出したときに、蓄電制御部４２が第１リレー接点４１１，４１１をオンにする形態であるのに対し、実施の形態８は、更に蓄電制御部４２が蓄電池４０に係る情報を電力制御装置１ａに送出した後に第１リレー接点４１１，４１１をオンにする形態である。
図１８は、本発明の実施の形態８に係る電力制御システムの要部構成を示すブロック図である。電力制御装置１ｃは、実線の枠で示される本体から延出する充放電ケーブル２の一端に取着された充放電コネクタ２０が、蓄電装置４ｋに配されたインレット３０に着脱自在に嵌合する。
【０１６８】
電力制御装置１ｃは、実施の形態１及び２で用いた電力制御装置１ａに対し、信号端子２５に印加された特定の信号を検出するための通知信号検出部（第２の信号検出部に相当）１５を更に備える。
【０１６９】
蓄電装置４ｋは、信号端子２５に対応する信号端子３５をインレット３０に内包しており、信号端子３５に特定の信号を印加するためのＰＮＰ型のトランジスタを含む半導体スイッチ（第４スイッチに相当）Ｓ１を備える。半導体スイッチＳ１に含まれるトランジスタは、エミッタが１２Ｖの電源に接続されており、コレクタ及びベース夫々が抵抗器Ｒ３及びＲ５を介して信号端子３５及び蓄電制御部４２に接続されている。
【０１７０】
半導体スイッチＳ１は、電磁リレー等の他のスイッチであってもよい。蓄電装置４ｋと、実施の形態２で用いた蓄電装置４ｃとの違いは、半導体スイッチＳ１及び抵抗器Ｒ３，Ｒ５を備えるか否かの差異のみである。
その他、実施の形態１及び２に対応する箇所には同様の符号を付してその説明を省略する。
【０１７１】
上述の構成において、充放電コネクタ２０が、例えば電力制御装置１ｃの本体に設けられた充放電コネクタ２０のホルダ部から取り出されて蓄電装置４ｋのインレット３０に嵌合した場合、電力端子２１，２２夫々が電力端子３１，３２に接続され、信号端子２５，２６及びＦＧ端子２７夫々が信号端子３５，３６及びＦＧ端子３７に接続される。つまり、電力制御装置１ｃ及び蓄電装置４ｋが、充放電コネクタ２０及びインレット３０を介して接続される。
【０１７２】
電力制御装置１ｃ及び蓄電装置４ｋが接続された場合、１２Ｖの電源からの電流が抵抗器（電気回路）Ｒ４に流れて電圧信号（所定信号）が発生し、発生した信号が信号端子（所定の信号端子）２６に入力され、入力された信号がフォトカプラｊ１により検出される。検出結果は充放電制御部１２のＣＰＵ１２１に取り込まれる。
【０１７３】
この状態にて蓄電装置４ｋ側では、電圧／電流検出部４３が抵抗器Ｒ４における電圧の発生又は電流の流入を検出し、検出結果が蓄電制御部４２に取り込まれる。抵抗器Ｒ４における電圧の発生又は電流の流入を検出した蓄電制御部４２は、例えば蓄電池４０に係る情報に対応する特定の周期で半導体スイッチＳ１をオン／オフに制御して特定の信号（第２の信号に相当）を生成し、生成した信号を信号端子３５に印加し、更に第１リレー接点４１１，４１１をオンにする。ここでいう蓄電池４０に係る情報には、例えば最大電圧、電池容量等の電池情報の他に電池温度、ＳＯＣ（State Of Charge ）等の電池状態が含まれる。
【０１７４】
一方の電力制御装置１ｃ側では、通知信号検出部１５が信号端子２５に外部から印加される特定の信号を検出し、第１リレー接点４１１，４１１がオンになった後に電圧検出部１３が蓄電池４０の電圧を検出することとなる。そして、充放電制御部１２が蓄電池４０に対する充放電を開始する。
【０１７５】
以下では、上述した充放電制御部１２及び蓄電制御部４２の動作を、それを示すフローチャートを用いて説明する。
図１９は、本発明の実施の形態８に係る電力制御システムで充放電を開始するＣＰＵ１２１の処理手順と、充放電を受け入れるＣＰＵ４２１の処理手順とを示すフローチャートである。
図１９における電力制御装置１ｃ側の処理は、充放電制御部１２による充放電の準備が整ったときに起動される。また、蓄電装置４ｋ側の処理は、蓄電制御部４２にて充放電を受け入れる準備が整ったときに起動される。
【０１７６】
電力制御装置１ｃ側のステップＳ１０１，Ｓ１０２、及びステップＳ１０４からＳ１０８までの処理は、実施の形態２の図５におけるステップＳ２１，Ｓ２２、及びステップＳ２４からＳ２８までの処理と対応するため、その説明の大部分を省略する。また、蓄電装置４ｋ側のステップＳ２０１及びＳ２０３，Ｓ２０４，Ｓ２０５の処理は、実施の形態２の図５におけるステップＳ１２１及びＳ１２３，Ｓ１２４，Ｓ１２５の処理と同一であるため、その説明の大部分を省略する。
【０１７７】
電力制御装置１ｃでは、充放電制御部１２のＣＰＵ１２１が、充電許可信号を検出した場合（Ｓ１０１：ＹＥＳ）、処理をステップＳ１０２に進める。この段階で、蓄電装置４ｋの抵抗器Ｒ４には、電力制御装置１ｃの１２Ｖの電源からの電流が、フォトカプラｊ１、抵抗器Ｒ２及び信号端子２６，３６を介して流入している。
【０１７８】
一方の蓄電装置４ｋでは、電力制御装置１ｃ側で充電許可信号が検出された直後に、蓄電制御部４２のＣＰＵ４２１が、抵抗器Ｒ４における電圧の発生又は電流の流入を検出して（Ｓ２０１：ＹＥＳ）、半導体スイッチＳ１を蓄電池４０に係る情報に応じた特定の周期でオン／オフに制御する（Ｓ２０２）。ここでは、半導体スイッチＳ１が単にオフからオンに変化するようにしてもよい。ＣＰＵ４２１は、更に、第１リレー接点４１１，４１１をオンにする（Ｓ２０３）。これにより、電力端子３１，３２及び２１，２２に蓄電池４０の電圧が印加される。以降のステップＳ２０４，Ｓ２０５については説明を省略する。
【０１７９】
他方の電力制御装置１ｃでは、ＣＰＵ１２１が、通知信号検出部１５により特定の信号を検出したか否かを判定し（Ｓ１０２ａ）、検出しない場合（Ｓ１０２ａ：ＮＯ）、検出するまで待機している。特定の信号を検出した場合（Ｓ１０２ａ：ＹＥＳ）、ＣＰＵ１２１は、検出した特定の信号に基づいて、蓄電池４０に係る情報を特定し（Ｓ１０３）、ステップＳ１０４に処理を進める。
【０１８０】
蓄電装置４ｋ側で第１リレー接点４１１，４１１がオンになった後における、ステップＳ１０４からステップＳ１０８の処理については、上述のとおりステップＳ２４からＳ２８までの処理に対応している。但し、ステップＳ１０７では、ＣＰＵ１２１が、ステップＳ１０３で情報を特定した蓄電池４０に応じた充放電を開始する。
【０１８１】
以上のように本実施の形態８によれば、蓄電制御部４２のＣＰＵ４２１が半導体スイッチ（第４スイッチ）Ｓ１をオン又はオン／オフにして特定の信号（第２の信号）を生成することにより、充放電コネクタ２０がインレット３０に嵌合したときに、信号端子（第４の信号端子）２５に接続されるインレット３０内の信号端子３５に特定の信号が印加され、この特定の信号を通知信号検出部１５が検出する。
従って、例えば充放電開始前に第２の信号により、他の蓄電池（蓄電池４０）に係る情報を電力制御装置１ｃに通知することが可能となる。
【０１８２】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。また、各実施の形態で記載されている技術的特徴は、お互いに組み合わせることが可能である。
【符号の説明】
【０１８３】
１ａ、１ｂ、１ｃ  電力制御装置
１１  ＡＣ／ＤＣ変換部
１２  充放電制御部
１２１  ＣＰＵ
１３  電圧検出部
１４  操作表示部
１５  通知信号検出部
１６  ＣＡＮ通信部
２  充放電ケーブル
２０  充放電コネクタ
２１、２２  電力端子
２３、２４、２５、２６  信号端子
３０  インレット
４ａ、４ｂ、４ｃ、４ｄ、４ｅ、４ｆ、４ｇ、４ｈ、４ｋ  蓄電装置
４０  蓄電池
４１  第１リレー
４１１  第１リレー接点
４１２  リレーコイル
４２  蓄電制御部
４２１  ＣＰＵ
４３  電圧／電流検出部
４４、４５  第２リレー
４４１、４５１  第２リレー接点
４６  ＣＡＮ通信部
ｄ１、ｄ２  リレー
ｊ１  フォトカプラ
Ｒ１、Ｒ２、Ｒ４  抵抗器
Ｓ１  半導体スイッチ
【図１】
0006492552.tif 000002
【図２】
0006492552.tif 000003
【図３】
0006492552.tif 000004
【図４】
0006492552.tif 000005
【図５】
0006492552.tif 000006
【図６】
0006492552.tif 000007
【図７】
0006492552.tif 000008
【図８】
0006492552.tif 000009
【図９】
0006492552.tif 000010
【図１０】
0006492552.tif 000011
【図１１】
0006492552.tif 000012
【図１２】
0006492552.tif 000013
【図１３】
0006492552.tif 000014
【図１４】
0006492552.tif 000015
【図１５】
0006492552.tif 000016
【図１６】
0006492552.tif 000017
【図１７】
0006492552.tif 000018
【図１８】
0006492552.tif 000019
【図１９】
0006492552.tif 000020